(57)【要約】ＡＣＫ／ＮＡＣＫチャネルに必要な下り回線リソースを減少させてデータ伝送効率を向上させることができる無線通信基地局装置。この装置において、割当用制御チャネル割当部（１０１）は、入力される上り回線割当情報＃１〜＃Ｋを割当用制御チャネルＣＨ＃１〜＃Ｋのいずれかに割り当て、ＡＣＫ／ＮＡＣＫチャネル割当部（１０５）は、各移動局に対する応答信号を、各移動局の上り回線割当情報が割り当てられた割当用制御チャネルおよび各移動局の上り回線データの送信回数に関連付けられたＡＣＫ／ＮＡＣＫチャネルに割り当て、配置部（１０６）は、応答信号が割り当てられたＡＣＫ／ＮＡＣＫチャネルを、そのＡＣＫ／ＮＡＣＫチャネルを含む複数のＡＣＫ／ＮＡＣＫチャネルによって共有される下り回線リソースに配置する。
2008136194.tif 000002
【特許請求の範囲】
【請求項１】
上り回線データのリソース割当情報を第１制御チャネルに割り当てる第１割当手段と、
前記上り回線データに対する応答信号を、前記第１制御チャネルおよび前記上り回線データの送信回数に関連付けられた第２制御チャネルに割り当てる第２割当手段と、
前記第２制御チャネルを、前記第２制御チャネルを含む複数の第２制御チャネルによって共有される下り回線リソースに配置する配置手段と、
を具備する無線通信基地局装置。
【請求項２】
前記下り回線リソースは、複数の第１制御チャネルにそれぞれ関連付けられた前記複数の第２制御チャネルによって共有される、
請求項１記載の無線通信基地局装置。
【請求項３】
前記下り回線リソースは、多い送信回数に関連付けられた第２制御チャネルと少ない送信回数に関連付けられた第２制御チャネルとによって共有される、
請求項１記載の無線通信基地局装置。
【請求項４】
複数の下り回線リソースにおいて、前記多い送信回数と前記少ない送信回数との合計が同一である、
請求項３記載の無線通信基地局装置。
【請求項５】
複数の下り回線リソースが、共に上り回線データの送信回数の昇順に並ぶ複数の第２制御チャネルによって共有される、
請求項３記載の無線通信基地局装置。
【請求項６】
前記第２割当手段は、前記応答信号を、前記第１制御チャネルが通知された後の前記送信回数に関連付けられた前記第２制御チャネルに割り当てる、
請求項１記載の無線通信基地局装置。
【請求項７】
前記下り回線リソースは、高いＭＣＳレベルの第１制御チャネルに関連付けられた第２制御チャネルと低いＭＣＳレベルの第１制御チャネルに関連付けられた第２制御チャネルとによって共有される、
請求項１記載の無線通信基地局装置。
【請求項８】
前記下り回線リソースは、使用頻度が高い第１制御チャネルに関連付けられた第２制御チャネルと使用頻度が低い第１制御チャネルに関連付けられた第２制御チャネルとによって共有される、
請求項１記載の無線通信基地局装置。
【請求項９】
前記下り回線リソースは、前記送信回数が多くなるほどより多数の第２制御チャネルによって共有される、
請求項１記載の無線通信基地局装置。
【請求項１０】
前記第１割当手段は、複数のＣＣＥで構成される前記第１制御チャネルに前記リソース割当情報を割り当てる、
請求項１記載の無線通信基地局装置。
【請求項１１】
前記下り回線リソースは、互いに隣接する複数のＣＣＥでそれぞれ構成される複数の第１制御チャネルに関連付けられた前記複数の第２制御チャネルによって共有される、
請求項１記載の無線通信基地局装置。
【請求項１２】
前記下り回線リソースは、使用頻度が高いＣＣＥで構成される第１制御チャネルに関連付けられた第２制御チャネルと使用頻度が低いＣＣＥで構成される第１制御チャネルに関連付けられた第２制御チャネルとによって共有される、
請求項１記載の無線通信基地局装置。
【請求項１３】
第１制御チャネルを用いて割り当てられた下り回線データに対する応答信号を、前記第１制御チャネルおよび前記下り回線データの送信回数に関連付けられた第２制御チャネルに割り当てる割当手段と、
前記第２制御チャネルを、前記第２制御チャネルを含む複数の第２制御チャネルによって共有される上り回線リソースに配置する配置手段と、
を具備する無線通信移動局装置。
【請求項１４】
上り回線データの互いに異なる送信回数にそれぞれ関連付けられた複数の第２制御チャネルによって１つの下り回線リソースを共有する、
リソース共有方法。
【発明の詳細な説明】
【技術分野】
【０００１】  本発明は、無線通信基地局装置およびリソース共有方法に関する。
【背景技術】
【０００２】  移動体通信では、上り回線で無線通信移動局装置（以下、単に移動局という）から無線通信基地局装置（以下、単に基地局という）へ伝送される上り回線データに対してＡＲＱ（Ａｕｔｏｍａｔｉｃ  Ｒｅｐｅａｔ  Ｒｅｑｕｅｓｔ）が適用され、上り回線データの誤り検出結果を示す応答信号が下り回線で移動局へフィードバックされる。基地局は上り回線データに対しＣＲＣ（Ｃｙｃｌｉｃ  Ｒｅｄｕｎｄａｎｃｙ  Ｃｈｅｃｋ）判定を行って、ＣＲＣ＝ＯＫ（誤り無し）であればＡＣＫ（Ａｃｋｎｏｗｌｅｄｇｍｅｎｔ）信号を、ＣＲＣ＝ＮＧ（誤り有り）であればＮＡＣＫ（Ｎｅｇａｔｉｖｅ  Ａｃｋｎｏｗｌｅｄｇｍｅｎｔ）信号を応答信号として移動局へフィードバックする。【０００３】  ここで、上り回線データに同期ＨＡＲＱ（Ｈｙｂｒｉｄ  ＡＲＱ）を適用することが検討されている。同期ＨＡＲＱでは、基地局は上り回線データの受信後、所定時間経過後に応答信号を移動局へフィードバックし、移動局は、基地局からＮＡＣＫ信号がフィードバックされた場合には、ＮＡＣＫ信号の受信後、所定時間経過後に上り回線データを基地局へ再送する。また、同期ＨＡＲＱにおいて、下り回線の通信リソースを効率良く使用するために、上り回線リソースを各移動局に割り当てるための下り回線の割当用制御チャネルおよび上り回線データの送信回数に、下り回線で応答信号を伝送するためのＡＣＫ／ＮＡＣＫチャネルを関連付けることが検討されている（非特許文献１参照）。これにより、移動局は、ＡＣＫ／ＮＡＣＫチャネルの割当情報を別途通知されなくても、基地局からの割当用制御チャネルおよび上り回線データの送信回数に従って自局宛てのＡＣＫ／ＮＡＣＫチャネルを判断することができる。
【非特許文献１】３ＧＰＰ  ＲＡＮ  ＷＧ１  Ｍｅｅｔｉｎｇ  ｄｏｃｕｍｅｎｔ，Ｒ１−０７０９３２，“Ａｓｓｉｇｎｍｅｎｔ  ｏｆ  Ｄｏｗｎｌｉｎｋ  ＡＣＫ／ＮＡＣＫ  Ｃｈａｎｎｅｌ”，Ｐａｎａｓｏｎｉｃ，Ｆｅｂｒｕａｒｙ  ２００７
【発明の開示】
【発明が解決しようとする課題】
【０００４】  上記従来技術では、応答信号を伝送するために、割当用制御チャネル数と最大送信回数とを掛け合わせた数のＡＣＫ／ＮＡＣＫチャネル数分だけ下り回線リソースを確保する必要がある。【０００５】  しかし、想定される最大送信回数まで再送が行われることは稀であるため、多い送信回数の上り回線データに対する応答信号用に確保しているリソースは無駄である。【０００６】  本発明の目的は、ＡＣＫ／ＮＡＣＫチャネルに必要な下り回線リソースを減少させてデータ伝送効率を向上させることができる基地局およびリソース共有方法を提供することである。
【課題を解決するための手段】
【０００７】  本発明の基地局は、上り回線データのリソース割当情報を第１制御チャネルに割り当てる第１割当手段と、前記上り回線データに対する応答信号を、前記第１制御チャネルおよび前記上り回線データの送信回数に関連付けられた第２制御チャネルに割り当てる第２割当手段と、前記第２制御チャネルを、前記第２制御チャネルを含む複数の第２制御チャネルによって共有される下り回線リソースに配置する配置手段と、を具備する構成を採る。
【発明の効果】
【０００８】  本発明によれば、ＡＣＫ／ＮＡＣＫチャネルに必要な下り回線リソースを減少させてデータ伝送効率を向上させることができる。
【図面の簡単な説明】
【０００９】
【図１】本発明の実施の形態１に係る基地局の構成を示すブロック図
【図２】本発明の実施の形態１に係るＡＲＱのシーケンス図
【図３】本発明の実施の形態１に係る下り回線リソースを示す図（例１−１）
【図４】本発明の実施の形態１に係るＡＲＱのシーケンス図（例１−２）
【図５】本発明の実施の形態１に係る下り回線リソースを示す図（例１−３）
【図６】本発明の実施の形態１に係るＭＣＳテーブルを示す図（例１−４）
【図７】本発明の実施の形態１に係る下り回線リソースを示す図（例１−４）
【図８】本発明の実施の形態１に係る下り回線リソースを示す図（例１−５）
【図９】本発明の実施の形態１に係る下り回線リソースを示す図（例１−６−１）
【図１０】本発明の実施の形態１に係る下り回線リソースを示す図（例１−６−２）
【図１１】本発明の実施の形態１に係る物理リソースを示す図
【図１２】本発明の実施の形態２に係るＣＣＥを示す図（例２−１）
【図１３】本発明の実施の形態２に係る下り回線リソースを示す図（例２−１）
【図１４】本発明の実施の形態２に係るＣＣＥを示す図（例２−２）
【図１５】本発明の実施の形態２に係る下り回線リソースを示す図（例２−２）
【図１６】下り回線リソースを示す図（例１）
【図１７】下り回線リソースを示す図（例２）
【発明を実施するための最良の形態】
【００１０】  以下、本発明の実施の形態について、添付図面を参照して詳細に説明する。【００１１】  （実施の形態１）
本実施の形態に係る基地局１００の構成を図１に示す。【００１２】  なお、説明が煩雑になることを避けるために、図１では、本発明と密接に関連する上り回線割当情報の下り回線での送信、上り回線データに対する応答信号の下り回線での送信および、上り回線データの受信に係わる構成部を示し、下り回線データの送信に係わる構成部の図示および説明を省略する。【００１３】  図１に示す基地局１００において、割当用制御チャネル割当部１０１には、最大Ｋ個の移動局＃１〜＃Ｋに対して、どの上り回線リソースをどの移動局に割り当てたかを示す上り回線割当情報＃１〜＃Ｋが入力される。割当用制御チャネル割当部１０１は、入力される上り回線割当情報＃１〜＃Ｋを割当用制御チャネルＣＨ＃１〜＃Ｋのいずれかに割り当てる。割当用制御チャネル割当部１０１は、上り回線割当情報＃１〜＃Ｋを割り当てた割当用制御チャネルそれぞれに対応する符号化・変調部１０２−１〜１０２−Ｋにそれぞれ出力する。また、割当用制御チャネル割当部１０１は、どの移動局の上り回線割当情報をどの割当用制御チャネルに割り当てたかを示す制御チャネル割当情報をＡＣＫ／ＮＡＣＫチャネル割当部１０５に出力する。【００１４】  符号化・変調部１０２−１〜１０２−Ｋは、割当用制御チャネル＃１〜＃Ｋに対応して備えられる。符号化・変調部１０２−１〜１０２−Ｋにおいて、各符号化部１１は、入力される各上り回線割当情報を符号化して各変調部１２に出力する。そして、各変調部１２は、各符号化部１１から入力される符号化後の各上り回線割当情報を変調して上り回線割当情報シンボルを生成し、配置部１０６に出力する。【００１５】  変調部１０３は、誤り検出部１１２から入力される各移動局の応答信号を変調する。そして、変調部１０３は、変調後の応答信号をＡＣＫ／ＮＡＣＫチャネル割当部１０５に出力する。【００１６】  送信回数カウント部１０４は、誤り検出部１１２から入力される各移動局の応答信号に基づいて各移動局の上り回線データの送信回数をカウントする。すなわち、送信回数カウント部１０４は、ＮＡＣＫ信号が連続して入力される回数をカウントし、ＡＣＫ信号が入力されると送信回数をリセットする。そして、送信回数カウント部１０４は、送信回数をＡＣＫ／ＮＡＣＫチャネル割当部１０５に出力する。【００１７】  ＡＣＫ／ＮＡＣＫチャネル割当部１０５は、変調部１０３から入力される応答信号を、割当用制御チャネル割当部１０１から入力される制御チャネル割当情報と送信回数カウント部１０４から入力される送信回数とに基づくＡＣＫ／ＮＡＣＫチャネルに割り当てる。すなわち、ＡＣＫ／ＮＡＣＫチャネル割当部１０５は、各移動局に対する応答信号を、各移動局の上り回線割当情報が割り当てられた割当用制御チャネルおよび各移動局の上り回線データの送信回数に関連付けられたＡＣＫ／ＮＡＣＫチャネルに割り当てる。そして、ＡＣＫ／ＮＡＣＫチャネル割当部１０５は、ＡＣＫ／ＮＡＣＫチャネルに割り当てられた応答信号を配置部１０６に出力する。【００１８】  配置部１０６は、上り回線割当情報シンボルが割り当てられた割当用制御チャネルを割当用制御チャネルに確保された下り回線リソースに配置し、応答信号が割り当てられた���ＣＫ／ＮＡＣＫチャネルを、そのＡＣＫ／ＮＡＣＫチャネルを含む複数のＡＣＫ／ＮＡＣＫチャネルによって共有される下り回線リソースに配置する。そして、配置部１０６は、各チャネルを配置した後の信号を無線送信部１０７に出力する。ここで、下り回線リソースは複数の割当用制御チャネルにそれぞれ関連付けられた複数のＡＣＫ／ＮＡＣＫチャネルによって共有される。下り回線リソースの共有例についての詳細な説明を後述する。【００１９】  無線送信部１０７は、配置部１０６から入力される信号に対しＤ／Ａ変換、増幅およびアップコンバート等の送信処理を行ってアンテナ１０８から各移動局へ送信する。【００２０】  一方、無線受信部１０９は、各移動局から送信された上り回線データをアンテナ１０８を介して受信し、この上り回線データに対しダウンコンバート、Ａ／Ｄ変換等の受信処理を行う。【００２１】  復調部１１０は、上り回線データを復調し、復調後の上り回線データを復号部１１１に出力する。【００２２】  復号部１１１は、復調後の上り回線データを復号し、復号後の上り回線データを誤り検出部１１２に出力する。【００２３】  誤り検出部１１２は、復号後の上り回線データに対してＣＲＣ判定を用いた誤り検出を行って、ＣＲＣ＝ＯＫ（誤り無し）の場合はＡＣＫ信号を、ＣＲＣ＝ＮＧ（誤り有り）の場合はＮＡＣＫ信号を応答信号として生成し、生成した応答信号を変調部１０３および送信回数カウント部１０４に出力する。また、誤り検出部１１２は、ＣＲＣ＝ＯＫ（誤り無し）の場合、復号後の上り回線データを受信データとして出力する。【００２４】  一方、各移動局では、基地局から自局宛ての割当用制御チャネルを受信した場合、上り回線割当情報およびＭＣＳ（Ｍｏｄｕｌａｔｉｏｎ  ａｎｄ  Ｃｏｄｉｎｇ  Ｓｃｈｅｍｅ）に従って送信データを基地局に送信する。また、各移動局は、自局宛てに割り当てられた割当用制御チャネルおよび送信データの送信回数に関連付けられたＡＣＫ／ＮＡＣＫチャネルに割り当てられた応答信号を受信する。ここで、各移動局では、どのＡＣＫ／ＮＡＣＫチャネルがどの下り回線リソースに対応しているかを上位レイヤで指示されるか、予め規定される。そして、各移動局は、応答信号がＡＣＫ信号である場合、次の送信データを送信するために、基地局から自局宛ての割当用制御チャネルが送信されるまで待機する。一方、各移動局は、応答信号がＮＡＣＫ信号である場合、送信データを再送する。【００２５】  次に、本実施の形態に係る具体的なシーケンス例を図２に示す。図２に示す基地局は上記図１に示す構成を採る。ここで、割当用制御チャネルＣＨ＃ｘおよび送信回数ｙに関連付けられたＡＣＫ／ＮＡＣＫチャネルをＡＣＫ／ＮＡＣＫチャネルＣＨ＃ｘ，ｙとする。【００２６】  まず基地局は、サブフレーム１で、上り回線リソースを移動局１に割り当てることを示す上り回線割当情報を割当用制御チャネルＣＨ＃１に割り当てて送信し、上り回線リソースを移動局２に割り当てることを示す上り回線割当情報を割当用制御チャネルＣＨ＃２に割り当てて送信する。【００２７】  自局宛ての上り回線割当情報を受信した移動局１は、サブフレーム２で上り回線データを送信（１回目送信）し、自局宛ての上���回線割当情報を受信した移動局２は、サブフレーム２で上り回線データを送信（１回目送信）する。【００２８】  移動局１からの上り回線データを受信した基地局は、この上り回線データに対しＣＲＣ判定を行う。ＣＲＣ＝ＮＧ（誤り有り）の場合、基地局は、サブフレーム３で、ＮＡＣＫ信号をフィードバックする。ここでフィードバックされるＮＡＣＫ信号は、割当用制御チャネルＣＨ＃１（ｘ＝１）および１回目送信（ｙ＝１）に関連付けられたＡＣＫ／ＮＡＣＫチャネルＣＨ＃１，１に割り当てられる。【００２９】  一方、移動局２からの上り回線データを受信した基地局は、この上り回線データに対しＣＲＣ判定を行う。ＣＲＣ＝ＯＫ（誤り無し）の場合、基地局は、サブフレーム３で、ＡＣＫ信号をフィードバックする。ここで、フィードバックされるＡＣＫ信号は、割当用制御チャネルＣＨ＃２（ｘ＝２）および１回目送信（ｙ＝１）に関連付けられたＡＣＫ／ＮＡＣＫチャネルＣＨ２，１に割り当てられる。【００３０】  さらに、基地局は、サブフレーム３で、上り回線リソースを移動局２に割当てることを示す上り回線割当情報を割当用制御チャネルＣＨ＃１に割り当てて送信する。【００３１】  次いで、サブフレーム３でＮＡＣＫ信号を受信した移動局１は、サブフレーム４で上り回線データを再送（２回目送信）する。また、サブフレーム３でＡＣＫ信号を受信し、さらに、自局宛ての上り回線割当情報を受信した移動局２は、サブフレーム４で上り回線データを送信（１回目送信）する。【００３２】  移動局１からの上り回線データを受信した基地局は、この上り回線データに対しＣＲＣ判定を行う。ＣＲＣ＝ＯＫ（誤り無し）の場合、基地局は、サブフレーム５で、ＡＣＫ信号をフィードバックする。ここで、フィードバックされるＡＣＫ信号は、割当用制御チャネルＣＨ＃１（ｘ＝１）および２回目送信（ｙ＝２）に関連付けられたＡＣＫ／ＮＡＣＫチャネルＣＨ１，２に割り当てられる。【００３３】  また、移動局２からの上り回線データを受信した基地局は、この上り回線データに対しＣＲＣ判定を行う。ＣＲＣ＝ＯＫ（誤り無し）の場合、基地局は、サブフレーム５で、ＡＣＫ信号をフィードバックする。ここで、フィードバックされるＡＣＫ信号は、割当用制御チャネルＣＨ＃１（ｘ＝１）および１回目送信（ｙ＝１）に関連付けられたＡＣＫ／ＮＡＣＫチャネルＣＨ１，１に割り当てられる。【００３４】  次に、本実施の形態における下り回線リソースの共有例の詳細について説明する。以下の説明では、割当用制御チャネルは４個の割当用制御チャネルＣＨ＃１〜ＣＨ＃４とし、想定する上り回線データの最大送信回数を６回とする。【００３５】  ＜共有例１−１＞
本例では、下り回線リソースは、多い送信回数に関連付けられたＡＣＫ／ＮＡＣＫチャネルと少ない送信回数に関連付けられたＡＣＫ／ＮＡＣＫチャネルとによって共有される。【００３６】  具体的には、図３に示すように、下り回線リソース１は、割当用制御チャネルＣＨ＃１および１回目送信（初回送信）に関連付けられたＡＣＫ／ＮＡＣＫチャネルＣＨ＃１，１と割当用制御チャネルＣＨ＃２および最大送信回数の６回目送信（再送５回目）に関連付けられたＡＣＫ／ＮＡＣＫチャネルＣＨ＃２，６とによって共有される。また、下り回線リソース２は、割当用制御チャネルＣＨ＃１および２回目送信（再送１回目）に関連付けられたＡＣＫ／ＮＡＣＫチャネルＣＨ＃１，２と割当用制御チャネルＣＨ＃２および５回目送信（再送４回目）に関連付けられたＡＣＫ／ＮＡＣＫチャネルＣＨ＃２，５とによって共有される。また、下り回線リソース３は、割当用制御チャネルＣＨ＃１および３回目送信（再送２回目）に関連付けられたＡＣＫ／ＮＡＣＫチャネルＣＨ＃１，３と割当用制御チャネルＣＨ＃２および４回目送信（再送３回目）に関連付けられたＡＣＫ／ＮＡＣＫチャネルＣＨ＃２，４とによって共有される。また、下り回線リソース４は、割当用制御チャネルＣＨ＃１および４回目送信（再送３回目）に関連付けられたＡＣＫ／ＮＡＣＫチャネルＣＨ＃１，４と割当用制御チャネルＣＨ＃２および３回目送信（再送２回目）に関連付けられたＡＣＫ／ＮＡＣＫチャネルＣＨ＃２，３とによって共有される。また、下り回線リソース５は、割当用制御チャネルＣＨ＃１および５回目送信（再送４回目）に関連付けられたＡＣＫ／ＮＡＣＫチャネルＣＨ＃１，５と割当用制御チャネルＣＨ＃２および２回目送信（再送１回目）に関連付けられたＡＣＫ／ＮＡＣＫチャネルＣＨ＃２，２とによって共有される。また、下り回線リソース６は、割当用制御チャネルＣＨ＃１および最大送信回数の６回目送信（再送５回目）に関連付けられたＡＣＫ／ＮＡＣＫチャネルＣＨ＃１，６と割当用制御チャネルＣＨ＃２および１回目送信（初回送信）に関連付けられたＡＣＫ／ＮＡＣＫチャネルＣＨ＃２，１とによって共有される。【００３７】  すなわち、図３に示すように、割当用制御チャネルＣＨ＃１に関連付けられたＡＣＫ／ＮＡＣＫチャネルＣＨ＃１，１〜ＣＨ＃１，６は、送信回数が増加するに従い下り回線リソース１から下り回線リソース６に昇順で並ぶように配置される。また、割当用制御チャネルＣＨ＃２に関連付けられたＡＣＫ／ＮＡＣＫチャネルＣＨ＃２，１〜ＣＨ＃２，６は、送信回数が増加するに従い下り回線リソース６から下り回線リソース１に降順で並ぶように配置される。【００３８】  また、このとき、下り回線リソース１〜６において、多い送信回数と少ない送信回数との合計は同一である。つまり、下り回線リソース１〜６において、各々を共有するＡＣＫ／ＮＡＣＫチャネルが関連付けられている送信回数の合計は全ての下り回線リソースで同一の７となる。【００３９】  そして、下り回線リソース７〜１２も同様にして、割当用制御チャネルＣＨ＃３に関連付けられたＡＣＫ／ＮＡＣＫチャネルＣＨ＃３，１〜ＣＨ＃３，６および割当用制御チャネルＣＨ＃４に関連付けられたＡＣＫ／���ＡＣＫチャネルＣＨ＃４，１〜ＣＨ＃４，６において、図３に示すように、多い送信回数に関連付けられたＡＣＫ／ＮＡＣＫチャネルと少ない送信回数に関連付けられたＡＣＫ／ＮＡＣＫチャネルとによって共有される。つまり、図３に示すように、割当用制御チャネルＣＨ＃３に関連付けられたＡＣＫ／ＮＡＣＫチャネルＣＨ＃３，１〜ＣＨ＃３，６は、送信回数が増加するに従い下り回線リソース７から下り回線リソース１２に昇順で並ぶように配置される。また、割当用制御チャネルＣＨ＃４に関連付けられたＡＣＫ／ＮＡＣＫチャネルＣＨ＃４，１〜ＣＨ＃４，６は、送信回数が増加するに従い下り回線リソース１２から下り回線リソース７に降順で並ぶように配置される。【００４０】  このように、割当用制御チャネルを４個として、上り回線データの最大送信回数を６回としたとき、各ＡＣＫ／ＮＡＣＫチャネルにそれぞれ異なる下り回線リソースを使用する場合、２４（４×６）個の下り回線リソースが必要になるのに対し、本例のように下り回線リソースを共有することで半分の１２個の下り回線リソースを確保すればよい。つまり、残りの半分の１２個の下り回線リソースをデータ用に確保することができ、データ伝送効率が向上する。【００４１】  また、一般に、多くの移動局は少ない送信回数でデータ送信を完了することができるため、多い送信回数に関連づけられたＡＣＫ／ＮＡＣＫチャネルが使用されることは極めて少ない。よって、図３に示す下り回線リソース１〜３（下り回線リソース７〜９）において、割当用制御チャネルＣＨ＃１（ＣＨ＃３）および少ない送信回数に関連付けられたＡＣＫ／ＮＡＣＫチャネルＣＨ＃１，１〜ＣＨ＃１，３（ＣＨ＃３，１〜ＣＨ＃３，３）は使用頻度が高く、割当用制御チャネルＣＨ＃２（ＣＨ＃４）および多い送信回数に関連付けられたＡＣＫ／ＮＡＣＫチャネルＣＨ＃２，６〜ＣＨ＃２，４（ＣＨ＃４，６〜ＣＨ＃４，４）は使用頻度が低い。【００４２】  また、図３に示す下り回線リソース４〜６（下り回線リソース１０〜１２）において、割当用制御チャネルＣＨ＃１（ＣＨ＃３）および多い送信回数に関連付けられたＡＣＫ／ＮＡＣＫチャネルＣＨ＃１，４〜ＣＨ＃１，６（ＣＨ＃３，４〜ＣＨ＃３，６）は使用頻度が低く、割当用制御チャネルＣＨ＃２（ＣＨ＃４）および少ない送信回数に関連付けられたＡＣＫ／ＮＡＣＫチャネルＣＨ＃２，３〜ＣＨ＃２，１（ＣＨ＃４，３〜ＣＨ＃４，１）は使用頻度が高い。【００４３】  これより、図３に示す下り回線リソース１〜６（下り回線リソース７〜１２）において、同一下り回線リソースを共有する２つのＡＣＫ／ＮＡＣＫチャネルが同一サブフレームで同時に使用される可能性は低くなる。【００４４】  このように、本例によれば、下り回線リソースは、多い送信回数に関連付けられたＡＣＫ／ＮＡＣＫチャネルと少ない送信回数に関連付けられたＡＣＫ／ＮＡＣＫチャネルとによって共有される。このため、互いに異なるＡＣＫ／ＮＡＣＫチャネルによって、下り回線リソース全体を万遍なく使用することができ、かつ、１つの下り回線リソースを共有する複数のＡＣＫ／ＮＡＣＫチャネルが同時に使用される確率を低くすることができる。よって、ＡＣＫ／ＮＡＣＫチャネル用の下り���線リソースを効率良く使用して、ＡＣＫ／ＮＡＣＫチャネルに必要な下り回線リソースを削減することができる。【００４５】  ＜共有例１−２＞
共有例１−１のように、多い送信回数に関連付けられたＡＣＫ／ＮＡＣＫチャネルと少ない送信回数に関連付けられたＡＣＫ／ＮＡＣＫチャネルとによって下り回線リソースを共有することで、下り回線リソースを効率良く使用することができる。【００４６】  しかしながら、複数の割当用制御チャネルにそれぞれ関連付けられた複数のＡＣＫ／ＮＡＣＫチャネルで同時に同一下り回線リソースを使用することによるＡＣＫ／ＮＡＣＫチャネルの衝突が生じる可能性は残る。例えば、割当用制御チャネルＣＨ＃１で割当てられた移動局１が４回目送信を行い、割当用制御チャネルＣＨ＃２で割当てられた移動局２が３回目送信を行った場合、基地局では、図３に示すように、ＡＣＫ／ＮＡＣＫチャネルＣＨ＃１，４およびＡＣＫ／ＮＡＣＫチャネルＣＨ＃２，３にそれぞれの応答信号を割当てるため、下り回線リソース４でＡＣＫ／ＮＡＣＫチャネル同士の衝突が生じてしまう。【００４７】  そこで、本例では、同一下り回線リソースでの異なるＡＣＫ／ＮＡＣＫチャネル同士の衝突を回避するために、応答信号を、割当用制御チャネルが通知された後の上り回線データの送信回数に関連付けられたＡＣＫ／ＮＡＣＫチャネルに割り当てる。【００４８】  本例に係る割当用制御チャネル割当部１０１には、どの応答信号をどのＡＣＫ／ＮＡＣＫチャネルに割り当てたかを示すＡＣＫ／ＮＡＣＫチャネル割当情報がＡＣＫ／ＮＡＣＫチャネル割当部１０５から入力される。割当用制御チャネル割当部１０１は、複数の応答信号が同一下り回線リソースに共有される複数のＡＣＫ／ＮＡＣＫチャネルに同時に割り当てられるか否かをＡＣＫ／ＮＡＣＫチャネル割当情報に基づいて判断する。そして、割当用制御チャネル割当部１０１は、複数の応答信号が複数のＡＣＫ／ＮＡＣＫチャネルに同時に割り当てられる場合、それぞれのＡＣＫ／ＮＡＣＫチャネルに関連付けられた割当用制御チャネルが割り当てられた移動局のいずれかに対する上り回線割当情報を同一割当用制御チャネルに再度割り当てる。【００４９】  送信回数カウント部１０４には、割当用制御チャネル割当部１０１から制御チャネル割当情報が入力される。そして、送信回数カウント部１０４は、上り回線割当情報が割当制御チャネルに再度割り当てられたとき、その割当用制御チャネルが割り当てられている移動局からの上り回線データの送信回数を初期状態にする。【００５０】  すなわち、割当用制御チャネルは、上り回線データの送信回数をリセットする役割を担う。【００５１】  一方、移動局では、応答信号を受信するときに、同時に割当用制御チャネルも受信するようにする。そして、移動局は、ＮＡＣＫ信号とともに自局宛ての割当用制御チャネルを受信した場合、次回以降の再送する上り回線データに対する応答信号を１回目送信に関連付けられたＡＣＫ／ＮＡＣＫチャネルに再び戻って順次受信する。【００５２】  次に、本例に係る具体的なシーケンス例を図４に示す。ここでは、共有例１−１と同様に、図３に示すように、下り回線リソースが互いに異なるＡＣＫ／ＮＡＣＫチャネルによって共有される。【００５３】  まず、基地局は、サブフレーム１で、上り回線リソースを移動局１に割り当てることを示す上り回線割当情報を割当用��御チャネルＣＨ＃１に割り当てて送信する。【００５４】  自局宛ての上り回線割当情報を受信した移動局１は、サブフレーム２で上り回線データを送信（１回目送信）する。【００５５】  移動局１からの上り回線データを受信した基地局は、この上り回線データに対しＣＲＣ判定を行う。ＣＲＣ＝ＮＧ（誤り有り）の場合、基地局は、サブフレーム３で、ＮＡＣＫ信号をフィードバックする。ここでフィードバックされるＮＡＣＫ信号は、割当用制御チャネルＣＨ＃１および割当用制御チャネルＣＨ＃１が通知された後の１回目送信に関連付けられたＡＣＫ／ＮＡＣＫチャネルＣＨ＃１，１に割り当てられる。【００５６】  また、基地局は、サブフレーム３で、上り回線リソースを移動局２に割り当てることを示す上り回線割当情報を割当用制御チャネルＣＨ＃２に割り当てて送信する。【００５７】  サブフレーム３でＮＡＣＫ信号を受信した移動局１は、サブフレーム４で上り回線データを再送（２回目送信）する。また、サブフレーム３で自局宛ての上り回線割当情報を受信した移動局２は、サブフレーム４で上り回線データを送信（１回目送信）する。【００５８】  そして、移動局１および移動局２からのそれぞれの上り回線データを受信した基地局は、それぞれの上り回線データに対してＣＲＣ判定を行い、それぞれＣＲＣ＝ＮＧ（誤り有り）であった場合、サブフレーム５（図示せず）で各移動局に対するＮＡＣＫ信号をフィードバックする。ここで、移動局１に対するＮＡＣＫ信号は、割当用制御チャネルＣＨ＃１および割当用制御チャネルＣＨ＃１で通知された後の２回目送信に関連付けられたＡＣＫ／ＮＡＣＫチャネルＣＨ＃１，２に割り当てられる。一方、移動局２に対するＮＡＣＫ信号は、割当用制御チャネルＣＨ＃２および割当用制御チャネルＣＨ＃２で通知された後の１回目送信に関連付けられたＡＣＫ／ＮＡＣＫチャネルＣＨ＃２，１に割り当てられる。【００５９】  さらに、サブフレーム６（図示せず）で移動局１は上り回線データを送信（３回目送信）し、移動局２は上り回線データを送信（２回目送信）する。【００６０】  移動局１および移動局２からのそれぞれの上り回線データを受信した基地局は、同様にして、それぞれの上り回線データに対してＣＲＣ判定を行う。そして、基地局は、それぞれＣＲＣ＝ＮＧ（誤り有り）であった場合、サブフレーム７で、各移動局に対するＮＡＣＫ信号をフィードバックする。移動局１に対するＮＡＣＫ信号は、割当用制御チャネルＣＨ＃１および割当用制御チャネルＣＨ＃１で通知された後の３回目送信に関連付けられたＡＣＫ／ＮＡＣＫチャネルＣＨ＃１，３に割り当てられ、移動局２に対するＮＡＣＫ信号は、割当用制御チャネルＣＨ＃２および割当用制御チャネルＣＨ＃２で通知された後の２回目送信に関連付けられたＡＣＫ／ＮＡＣＫチャネルＣＨ＃２，２に割り当てられる。【００６１】  ここで、図３に示すように、ＡＣＫ／ＮＡＣＫチャネルＣＨ＃１，３は下り回線リソース３に配置され、ＡＣＫ／ＮＡＣＫチャネルＣＨ＃２，２は下り回線リソース５に配置される。よって、移動局１および移動局２から次のサブフレーム８で送信される上り回線データに対する応答信号は、ＡＣＫ／ＮＡＣＫチャネルＣＨ＃１，４およびＡＣ���／ＮＡＣＫチャネルＣＨ＃２，３となる。つまり、同一下り回線リソース４を使用するため、ＡＣＫ／ＮＡＣＫチャネル同士の衝突が生じてしまう。【００６２】  そこで、基地局は、サブフレーム７で、移動局１にＮＡＣＫ信号を送信すると同時に、上り回線リソースを移動局１に割り当てることを示す上り回線割当情報をサブフレーム１のときと同一の割当用制御チャネルＣＨ＃１に割り当てて送信する。なお、割当用制御チャネルが送信される移動局は移動局１に限らず、移動局２でもよいが、送信回数のリセットを行うために割当用制御チャネルを送信する回数を低く抑えるために、ＡＣＫ／ＮＡＣＫチャネルに関連付けられた送信回数が多い移動局に通知することが好ましい。【００６３】  次いで、サブフレーム７で、ＮＡＣＫ信号を受信した移動局１は、サブフレーム８で上り回線データを再送（４回目送信）する。ここで、サブフレーム７で自局宛ての上り回線割当情報を再度受信した移動局１は、再送された上り回線データに対する応答信号を１回目送信に関連付けられたＡＣＫ／ＮＡＣＫチャネルで受信するように再設定する。また、サブフレーム７で、ＮＡＣＫ信号を受信した移動局２は、サブフレーム８で上り回線データを送信（３回目送信）する。【００６４】  移動局１からの上り回線データを受信した基地局は、この上り回線データに対しＣＲＣ判定を行う。ＣＲＣ＝ＯＫ（誤り無し）の場合、基地局は、サブフレーム９で、ＡＣＫ信号をフィードバックする。ここで、フィードバックされるＡＣＫ信号は、割当用制御チャネルＣＨ＃１および割当用制御チャネルＣＨ＃１で通知された後の１回目送信に関連付けられたＡＣＫ／ＮＡＣＫチャネルＣＨ１，１に割り当てられる。【００６５】  また、移動局２からの上り回線データを受信した基地局は、この上り回線データに対しＣＲＣ判定を行う。ＣＲＣ＝ＯＫ（誤り無し）の場合、基地局は、サブフレーム９で、ＡＣＫ信号をフィードバックする。ここで、フィードバックされるＡＣＫ信号は、割当用制御チャネルＣＨ＃２および割当用制御チャネルＣＨ＃２で通知された後の３回目送信に関連付けられたＡＣＫ／ＮＡＣＫチャネルＣＨ２，３に割り当てられる。【００６６】  このように、本例によれば、図４に示すサブフレーム９において、移動局１に対する応答信号を割り当てるＡＣＫ／ＮＡＣＫチャネルをリセットすることで、移動局１に対する応答信号が割り当てられたＡＣＫ／ＮＡＣＫチャネルと移動局２に対する応答信号が割り当てられたＡＣＫ／ＮＡＣＫチャネルとが衝突することを回避することができる。【００６７】  なお、本例では、割当用制御チャネルを移動局に対して再度通知した後に、１回目送信に関連付けられたＡＣＫ／ＮＡＣＫチャネルを使用したが、本発明は、割当用制御チャネルを移動局に対して再度通知する際に、どのＡＣＫ／ＮＡＣＫチャネルを使用するかを指示する情報を通知してもよい。【００６８】  また、本例では、割当用制御チャネルを下り回線リソースの割当をリセットするために使用したが、割当用制御チャネルを、上り回線でシングルキャリア伝送が用いられる場合にデータ用リソースが分断され（Ｆｒａｇｍｅｎｔａｔｉｏｎ）、データ伝送効率が悪くなることを回避するために使用し��もよい。この場合、割当用制御チャネルには、どの移動局に対してどのデータ用リソースを再割当するかを示す情報を含めてもよい。【００６９】  また、本例では、１回目送信（初回送信）時に上り回線リソース割当情報が割り当てられた割当用制御チャネル（例えば、割当用制御チャネルＣＨ＃１）と同一の割当用制御チャネルを下り回線リソースの割当をリセットするために使用したが、異なる割当用制御チャネル（例えば、割当用制御チャネルＣＨ＃３）を使用してもよい。この場合、次の再送に対しては新たに使用した割当用制御チャネルに関連付けられたＡＣＫ／ＮＡＣＫチャネルを用いる。【００７０】  ＜共有例１−３＞
本例では、下り回線リソースは、多い送信回数に関連付けられたＡＣＫ／ＮＡＣＫチャネルと少ない送信回数に関連付けられたＡＣＫ／ＮＡＣＫチャネルとによって共有される点において共有例１−１と同一であるが、複数の下り回線リソースが、共に上り回線データの送信回数の昇順に並ぶ複数のＡＣＫ／ＮＡＣＫチャネルによって共有される点において共有例１−１と相違する。【００７１】  具体的には、図５に示すように、下り回線リソース１は、割当用制御チャネルＣＨ＃１および１回目送信（初回送信）に関連付けられたＡＣＫ／ＮＡＣＫチャネルＣＨ＃１，１と、割当用制御チャネルＣＨ＃４および４回目送信（再送３回目）に関連付けられたＡＣＫ／ＮＡＣＫチャネルＣＨ＃４，４とによって共有される。また、下り回線リソース２は、割当用制御チャネルＣＨ＃１および２回目送信（再送１回目）に関連付けられたＡＣＫ／ＮＡＣＫチャネルＣＨ＃１，２と、割当用制御チャネルＣＨ＃４および５回目送信（再送４回目）に関連付けられたＡＣＫ／ＮＡＣＫチャネルＣＨ＃４，５とによって共有される。また、下り回線リソース３は、割当用制御チャネルＣＨ＃１および３回目送信（再送２回目）に関連付けられたＡＣＫ／ＮＡＣＫチャネルＣＨ＃１，３と、割当用制御チャネルＣＨ＃４および最大送信回数の６回目送信（再送５回目）に関連付けられたＡＣＫ／ＮＡＣＫチャネルＣＨ＃４，６とによって共有される。また、下り回線リソース４は、割当用制御チャネルＣＨ＃１および４回目送信（再送３回目）に関連付けられたＡＣＫ／ＮＡＣＫチャネルＣＨ＃１，４と、割当用制御チャネルＣＨ＃２および１回目送信（初回送信）に関連付けられたＡＣＫ／ＮＡＣＫチャネルＣＨ＃２，１とによって共有される。また、下り回線リソース５は、割当用制御チャネルＣＨ＃１および５回目送信（再送４回目）に関連付けられたＡＣＫ／ＮＡＣＫチャネルＣＨ＃１，５と、割当用制御チャネルＣＨ＃２および２回目送信（再送１回目）に関連付けられたＡＣＫ／ＮＡＣＫチャネルＣＨ＃２，２とによって共有される。また、下り回線リソース６は、割当用制御チャネルＣＨ＃１および最大送信回数の６回目送信（再送５回目）に関連付けられたＡＣＫ／ＮＡＣＫチャネルＣＨ＃１，６と、割当用制御チャネルＣＨ＃２および３回目送信（再送２回目）に関連付けられたＡＣＫ／ＮＡＣＫチャネルＣＨ＃２，３とによって共有される。【００７２】  同様に、図５に示すように、下り回線リソース７は、割当用制御チャネルＣＨ＃３および１回目送信（初回送信）に関連付けられたＡＣＫ／ＮＡＣＫチャネルＣＨ＃３，１と、割当用制御チャネルＣＨ＃２および４回目送信（再送３回目）に関連付けられたＡＣＫ／ＮＡＣＫチャネルＣＨ＃２，４とによって共有される。また、下り回線リソース８は、割当用制御チャネルＣＨ＃３および２回目送信（再送１回目）に関連付けられたＡＣＫ／ＮＡＣＫチャネルＣＨ＃３，２と、割当用制御チャネルＣＨ＃２および５回目送信（再送４回目）に関連付けられたＡＣＫ／ＮＡＣＫチャネルＣＨ＃２，５とによって共有される。また、下り回線リソース９は、割当用制御チャネルＣＨ＃３および３回目送信（再送２回目）に関連付けられたＡＣＫ／ＮＡＣＫチャネルＣＨ＃３��３と、割当用制御チャネルＣＨ＃２および最大送信回数の６回目送信（再送５回目）に関連付けられたＡＣＫ／ＮＡＣＫチャネルＣＨ＃２，６とによって共有される。また、下り回線リソース１０は、割当用制御チャネルＣＨ＃３および４回目送信（再送３回目）に関連付けられたＡＣＫ／ＮＡＣＫチャネルＣＨ＃３，４と、割当用制御チャネルＣＨ＃４および１回目送信（初回送信）に関連付けられたＡＣＫ／ＮＡＣＫチャネルＣＨ＃４，１とによって共有される。また、下り回線リソース１１は、割当用制御チャネルＣＨ＃３および５回目送信（再送４回目）に関連付けられたＡＣＫ／ＮＡＣＫチャネルＣＨ＃３，５と、割当用制御チャネルＣＨ＃４および２回目送信（再送１回目）に関連付けられたＡＣＫ／ＮＡＣＫチャネルＣＨ＃４，２とによって共有される。また、下り回線リソース１２は、割当用制御チャネルＣＨ＃３および最大送信回数の６回目送信（再送５回目）に関連付けられたＡＣＫ／ＮＡＣＫチャネルＣＨ＃３，６と、割当用制御チャネルＣＨ＃４および３回目送信（再送２回目）に関連付けられたＡＣＫ／ＮＡＣＫチャネルＣＨ＃４，３とによって共有される。【００７３】  すなわち、図５に示すように、割当用制御チャネルＣＨ＃１に関連付けられたＡＣＫ／ＮＡＣＫチャネルＣＨ＃１，１〜ＣＨ＃１，６は、下り回線リソース１〜６において、送信回数が増加するに従い下り回線リソース１から下り回線リソース６に昇順で並ぶように配置される。また、割当用制御チャネルＣＨ＃２に関連付けられたＡＣＫ／ＮＡＣＫチャネルＣＨ＃２，１〜ＣＨ＃２，６は、下り回線リソース４〜９において、送信回数が増加するに従い下り回線リソース４から下り回線リソース９に昇順で並ぶように配置される。また、割当用制御チャネルＣＨ＃３に関連付けられたＡＣＫ／ＮＡＣＫチャネルＣＨ＃３，１〜ＣＨ＃３，６は、下り回線リソース７〜１２において、送信回数が増加するに従い下り回線リソース７から下り回線リソース１２に昇順で並ぶように配置される。また、割当用制御チャネルＣＨ＃４に関連付けられたＡＣＫ／ＮＡＣＫチャネルＣＨ＃４，１〜ＣＨ＃４，６は、下り回線リソース１０〜１２および下り回線リソース１〜３において、送信回数が増加するに従い下り回線リソース１０から下り回線リソース１２および下り回線リソース１から下り回線リソース３に昇順で並ぶように配置される。つまり、下り回線リソース１〜１２において、各割当用制御チャネルＣＨ＃１〜ＣＨ＃４に関連付けられたＡＣＫ／ＮＡＣＫチャネルは、図５に示すように割当制御チャネル毎に下り回線リソースを３個ずつずらして、送信回数の昇順に並んで配置される。【００７４】  また、図５に示すように、下り回線リソース１〜１２において、同一下り回線リソースを共有する２つのＡＣＫ／ＮＡＣＫチャネルに関連付けられた送信回数は、（１回目送信と４回目送信）、（２回目送信と５回目送信）および（３回目送信と６回目送信）の組み合わせのいずれかである。つまり、下り回線リソースは、多い送信回数に関連付けられたＡＣＫ／ＮＡＣＫチャネルと少ない送信回数に関連付けられたＡＣＫ／ＮＡＣＫチャネルとによって共有されるため、同一下り回線リソースが同一サブフレームで同時に使用���れる可能性は低くなる。【００７５】  さらに、基地局では、他の移動局に対する応答信号が、各割当用制御チャネルおよび１回目送信に関連付けられたＡＣＫ／ＮＡＣＫチャネルと同一下り回線リソースを共有する他のＡＣＫ／ＮＡＣＫチャネルに既に割り当てられている場合、既に割り当てられているＡＣＫ／ＮＡＣＫチャネルと下り回線リソースを共有する１回目送信に関連付けられた割当用制御チャネル以外の割当用制御チャネルに上り回線割当情報を割り当てる。【００７６】  例えば、図５に示す下り回線リソースにおいて、下り回線リソース４のＡＣＫ／ＮＡＣＫチャネルＣＨ＃１，４に既に他の移動局に対する応答信号が割り当てられている場合、ＡＣＫ／ＮＡＣＫチャネルＣＨ＃１，４と同一下り回線リソース４を共有するＡＣＫ／ＮＡＣＫチャネルＣＨ＃２，１に関連付けられた割当用制御チャネルＣＨ＃２以外の割当用制御チャネルＣＨ＃１、ＣＨ＃３またはＣＨ＃４のいずれかに上り回線割当情報を割り当てる。【００７７】  このように、図５に示す下り回線リソース１〜１２において、１回目送信に関連付けられたＡＣＫ／ＮＡＣＫチャネルにおいて、ＡＣＫ／ＮＡＣＫチャネル同士の衝突を予め回避すれば、送信回数が増加しても各割当用制御チャネルに関連付けられたＡＣＫ／ＮＡＣＫチャネルは互いに平行して下り回線リソースを昇順にシフトする。そのため、ＡＣＫ／ＮＡＣＫチャネル同士の衝突は発生しない。【００７８】  このように、本例によれば、共有例１−２のようにＡＣＫ／ＮＡＣＫチャネルの衝突を回避するために割当用制御チャネルを送信することなく、共有例１−１と同様の効果を得ることができる。また、共有例１−２のようにＡＣＫ／ＮＡＣＫチャネルの衝突を回避するために送信した割当用制御チャネルに受信誤りが発生するとＡＣＫ／ＮＡＣＫチャネルの衝突を回避できないことがあり得る。しかし、本例によれば、ＡＣＫ／ＮＡＣＫチャネルの衝突を予め回避するように割当用制御チャネルを割り当てるため、確実に衝突を回避することができる。【００７９】  ＜共有例１−４＞
本例では、下り回線リソースは、高いＭＣＳレベルの割当用制御チャネルに関連付けられたＡＣＫ／ＮＡＣＫチャネルと低いＭＣＳレベルの割当用制御チャネルに関連付けられたＡＣＫ／ＮＡＣＫチャネルとによって共有される。【００８０】  本例に係る割当用制御チャネル割当部１０１には、図示しないＣＱＩ（Ｃｈａｎｎｅｌ  Ｑｕａｌｉｔｙ  Ｉｎｄｉｃａｔｏｒ）測定部から各移動局の回線品質を示すＣＱＩ情報が入力される。割当用制御チャネル割当部１０１は、ＣＱＩ情報に基づいて、上り回線割当情報＃１〜＃Ｋを割当用制御チャネルＣＨ＃１〜ＣＨ＃Ｋのいずれかに割り当てる。具体的には、割当用制御チャネル割当部１０１は、図６に示すＭＣＳテーブルおよびＣＱＩ情報に基づいて、上り回線割当情報を割当用制御チャネルＣＨ＃１〜ＣＨ＃４のいずれかに割り当てる。例えば、ＣＱＩ情報に対応するＭＣＳが図６に示す変調方式ＱＰＳＫ、符号化率Ｒ＝１／３の場合、割当用制御チャネル割当部１０１は、上り回線割当情報を割当用制御チャネルＣＨ＃１またはＣＨ＃２のいずれかに割り当てる。また、ＣＱＩ情報に対応するＭＣＳが図６に示す変調方式１６ＱＡＭ、符号化率Ｒ＝１／２の場合、割当用制御チャネル割当部１０１は、上り回線割当情報を割当用制御チャネルＣＨ＃３またはＣＨ＃４のいずれかに割り当てる。【００８１】  符号化・変調部１０２−１〜１０２−Ｋは、それぞれが異なるＭＣＳレベルに固定して対応しており、割当用制御チャネル割当部１０１から入力される上り回線割当情報＃１〜＃ＫのいずれかをそれぞれのＭＣＳに対応した符号化率で符号化し、それぞれのＭＣＳに対応した変調方式で変調する。【００８２】  本例のように複数のＭＣＳの割当用制御チャネルが使用される場合、セル中心付近の移動局ほど、より高いＭＣＳレベルの割当用制御チャネルが割り当てられる。【００８３】  また、セル中心付近の移動局からの上り回線データを基地局では十分な送信電力によって受信できるため、セル中心付近の移動局からの上り回線データについては、誤り率特性が良く、送信回数が少なくなる。一方、セル境界付近の移動局からの上り回線データを基地局では十分な送信電力で受信することができないため、セル境界付近の移動局からの上り回線データについては、誤り率特性が悪く、送信回数が多くなる。【００８４】  よって、高いＭＣＳレベルの割当用制御チャネルが割り当てられたセル中心付近の移動局では、多い送信回数に関連付けられたＡＣＫ／ＮＡＣＫチャネルの使用頻度が低くなる。一方、低いＭＣＳレベルの割当用制御チャネルが割り当てられたセル境界付近の移動局では、多い送信回数に関連付けられたＡＣＫ／ＮＡＣＫチャネルの使用頻度が高くなる。【００８５】  そこで、高いＭＣＳレベルの割当用制御チャネルに関連付けられたＡＣＫ／ＮＡＣＫチャネルと低いＭＣＳレベルの割当用制御チャネルに関連付けられたＡＣＫ／ＮＡＣＫチャネルとによって下り回線リソースを共有する。これにより、同一下り回線リソースが、高いＭＣＳレベルの割当用制御チャネルおよび多い送信回数に関連付けられたＡＣＫ／ＮＡＣＫチャネルによって使用されずに、低いＭＣＳレベルの割当用制御チャネルに関連付けられたＡＣＫ／ＮＡＣＫチャネル��よってのみ使用されることが多くなる。よって、ＡＣＫ／ＮＡＣＫチャネル同士の衝突の確率が低くなる。よって、本例によれば、下り回線リソースを効率良く使用して、下り回線リソースの共有によってデータ伝送効率を向上することができる。【００８６】  具体的には、図７に示すように、下り回線リソース１〜６（下り回線リソース７〜１２）は、低いＭＣＳレベルの割当用制御チャネルＣＨ＃１（ＣＨ＃２）および１回目送信から６回目送信に関連付けられたＡＣＫ／ＮＡＣＫチャネルＣＨ＃１，１〜ＣＨ＃１，６（ＡＣＫ／ＮＡＣＫチャネルＣＨ＃２，１〜ＣＨ＃２，６）と、高いＭＣＳレベルの割当用制御チャネルＣＨ＃３（ＣＨ＃４）および１回目送信から６回目送信に関連付けられたＡＣＫ／ＮＡＣＫチャネルＣＨ＃３，１〜ＣＨ＃３，６（ＡＣＫ／ＮＡＣＫチャネルＣＨ＃４，１〜ＣＨ＃４，６）とによって共有される。【００８７】  ここで、図７に示す下り回線リソース１〜６（下り回線リソース７〜１２）の各下り回線リソースは、共有例１−１と同様に、多い送信回数に関連付けられたＡＣＫ／ＮＡＣＫチャネルと少ない送信回数に関連付けられたＡＣＫ／ＮＡＣＫチャネルとによって共有される。【００８８】  このようにして、本例によれば、割当用制御チャネルが複数のＭＣＳを使用可能な場合、下り回線リソースが、多い送信回数での下り回線リソースの使用頻度が高い（ＭＣＳレベルが低い）移動局と少ない送信回数での下り回線リソースの使用頻度が低い（ＭＣＳレベルが高い）移動局とによって共有される。このため、共有例１−１よりも下り回線リソースを効率良く使用することができる。【００８９】  なお、本例では、高いＭＣＳレベルの割当用制御チャネルと低いＭＣＳレベルの割当用制御チャネルとにそれぞれ関連付けられた複数のＡＣＫ／ＮＡＣＫチャネルにおいて、共有例１−１と同様に、多い送信回数に関連付けられたＡＣＫ／ＮＡＣＫチャネルと少ない送信回数に関連付けられたＡＣＫ／ＮＡＣＫチャネルとによって下り回線リソースを共有する場合について説明したが、共有例１−３と同様にして下り回線リソースを共有してもよい。【００９０】  ＜共有例１−５＞
本例では、下り回線リソースは、使用頻度が高い割当用制御チャネルに関連付けられたＡＣＫ／ＮＡＣＫチャネルと使用頻度が低い割当用制御チャネルに関連付けられたＡＣＫ／ＮＡＣＫチャネルとによって共有される。【００９１】  本例に係る割当用制御チャネル割当部１０１は、割当用制御チャネルＣＨ＃１〜ＣＨ＃４を、上り回線割当情報＃１〜＃４に対して割当用制御チャネルＣＨ＃１から昇順に割り当てる。例えば、上り回線割当情報が割り当てられる移動局の数が１個の場合、割当用制御チャネル割当部１０１は、上り回線割当情報を割当用制御チャネルＣＨ＃１に割り当て、上り回線割当情報が割り当てられる移動局の数が２個の場合、割当用制御チャネル割当部１０１は、各上り回線割当情報を割当用制御チャネルＣＨ＃１およびＣＨ＃２に割り当てる。【００９２】  つまり、割当用制御チャネルＣＨ＃１〜ＣＨ＃４において、割当用制御チャネルＣＨ＃１は上り回線割当情報が割り当てられる場合に必ず使用されるため使用頻度が最も高く、割当用制御チャネルＣＨ＃４は最大割当移動局数である４個の移動局に対して上り回線割当情報が割り当てられる場合のみに使用されるため使用頻度が最も低い。【００９３】  そこで、使用頻度が高い割当用制御チャネルに関連付けられたＡＣＫ／ＮＡＣＫチャネルと使用頻度が低い割当用制御チャネルに関連付けられたＡＣＫ／ＮＡＣＫチャネルとによって下り回線リソースを共有する。これにより、一方のＡＣＫ／ＮＡＣＫチャネルが使用されるときに他方のＡＣＫ／ＮＡＣＫチャネルが使用されない確率が高くなる。よって、下り回線リソースを共有するＡＣＫ／ＮＡＣＫチャネル同士の衝突の確率が低くなる。【００９４】  以下、具体的に説明する。図８に示すように、下り回線リソース１〜６（下り回線リソース７〜１２）は、使用頻度が高い割当用制御チャネルＣＨ＃１（ＣＨ＃２）および１回目送信から６回目送信に関連付けられたＡＣＫ／ＮＡＣＫチャネルＣＨ＃１，１〜ＣＨ＃１，６（ＡＣＫ／ＮＡＣＫチャネルＣＨ＃２，１〜ＣＨ＃２，６）と、使用頻度が低い割当用制御チャネルＣＨ＃４（ＣＨ＃３）および１回目送信から６回目送信に関連付けられたＡＣＫ／ＮＡＣＫチャネルＣＨ＃４，１〜ＣＨ＃４，６（ＡＣＫ／ＮＡＣＫチャネルＣＨ＃３，１〜ＣＨ＃３，６）とによって共有される。【００９５】  ここで、図８に示す下り回線リソース１〜６（下り回線リソース７〜１２）の各下り回線リソースは、共有例１−１と同様に、多い送信回数に関連付けられたＡＣＫ／ＮＡＣＫチャネルと少ない送信回数に関連付けられたＡＣＫ／ＮＡＣＫチャネルとによって共有される。【００９６】  例えば、割当移動局数が２個の場合、各上り回線割当情報は、割当用制御チャネルＣＨ＃１およびＣＨ＃２に割り当てられる。よって、図８に示す下り回線リソース１〜６（下り回線リソース７〜１２）では、ＡＣＫ／ＮＡＣＫチャネルＣＨ＃１，１〜ＣＨ＃１，６（ＡＣＫ／ＮＡＣＫチャネルＣＨ＃２，１〜ＣＨ＃２，６）のみが使用される。このため、ＡＣＫ／ＮＡＣＫチャネルＣＨ＃３，１〜ＣＨ＃３，６（ＡＣＫ／ＮＡＣＫチャネルＣＨ＃４，１〜ＣＨ＃４，６）と衝突することが一切無くなる。【００９７】  このように、本例によれば、下���回線リソースでのＡＣＫ／ＮＡＣＫチャネルの衝突確率が低くなるため、共有例１−１よりも下り回線リソースを効率良く使用することができる。【００９８】  なお、本例では、使用頻度が高い割当用制御チャネルと使用頻度が低い割当用制御チャネルとにそれぞれ関連付けられた複数のＡＣＫ／ＮＡＣＫチャネルにおいて、共有例１−１と同様に、多い送信回数に関連付けられたＡＣＫ／ＮＡＣＫチャネルと少ない送信回数に関連付けられたＡＣＫ／ＮＡＣＫチャネルとによって下り回線リソースを共有する場合について説明したが、共有例１−３と同様にして下り回線リソースを共有してもよい。【００９９】  ＜共有例１−６＞
本例では、下り回線リソースは、送信回数が多くなるほどより多いＡＣＫ／ＮＡＣＫチャネルによって共有される。【０１００】  まず、共有例１−６−１について具体的に説明する。【０１０１】  図９に示すように、下り回線リソース１〜８には、各割当用制御チャネルＣＨ＃１〜ＣＨ＃４において、１回目送信または２回目送信にそれぞれ関連付けられたＡＣＫ／ＮＡＣＫチャネルＣＨ＃１，１、ＣＨ＃１，２、ＣＨ＃２，１、ＣＨ＃２，２、ＣＨ＃３，１、ＣＨ＃３，２、ＣＨ＃４，１およびＣＨ＃４，２がそれぞれ１個ずつ配置される。【０１０２】  また、図９に示すように、下り回線リソース９は、割当用制御チャネルＣＨ＃１およびＣＨ＃２において、３回目送信にそれぞれ関連付けられたＡＣＫ／ＮＡＣＫチャネルＣＨ＃１，３とＣＨ＃２，３とによって共有される。また、下り回線リソース１０は、割当用制御チャネルＣＨ＃１およびＣＨ＃２において、４回目送信にそれぞれ関連付けられたＡＣＫ／ＮＡＣＫチャネルＣＨ＃１，４とＣＨ＃２，４とによって共有される。同様に、下り回線リソース１１は、割当用制御チャネルＣＨ＃３およびＣＨ＃４において、３回目送信にそれぞれ関連付けられたＡＣＫ／ＮＡＣＫチャネルＣＨ＃３，３とＣＨ＃４，３とによって共有される。また、下り回線リソース１２は、割当用制御チャネルＣＨ＃３およびＣＨ＃４において、４回目送信にそれぞれ関連付けられたＡＣＫ／ＮＡＣＫチャネルＣＨ＃３，４とＣＨ＃４，４とによって共有される。【０１０３】  そして、図９に示すように、下り回線リソース１３は、割当用制御チャネルＣＨ＃１〜ＣＨ＃４において、５回目送信にそれぞれ関連付けられたＡＣＫ／ＮＡＣＫチャネルＣＨ＃１，５とＣＨ＃２，５とＣＨ＃３，５とＣＨ＃４，５とによって共有される。また、下り回線リソース１４は、割当用制御チャネルＣＨ＃１〜ＣＨ＃４において、６回目送信にそれぞれ関連付けられたＡＣＫ／ＮＡＣＫチャネルＣＨ＃１，６とＣＨ＃２，６とＣＨ＃３，６とＣＨ＃４，６とによって共有される。【０１０４】  すなわち、送信回数が１回目〜２回目では、各下り回線リソースには１個のＡＣＫ／ＮＡＣＫチャネルのみ配置される。また、送信回数が３回目〜４回目では、各下り回線リソースが２個のＡＣＫ／ＮＡＣＫチャネルによって共有される。また、送信回数が５回目〜６回目では、各下り回線リソースが４個のＡＣＫ／ＮＡＣＫチャネルによって共有される。【０１０５】  これにより、より少ない送信回数に関連付けられたＡＣＫ／ＮＡＣＫチャネルほど、他のＡＣＫ／ＮＡＣＫチャネルと衝突する確率がより低くなる。一方、より多い送信回数に関連付けられたＡＣＫ／ＮＡＣＫチャネルほど、他のＡＣＫ／ＮＡＣＫチャネルと衝突する確率が高くなるものの、各移動局で上り回線データの送信回数が多くなることは極めて少ないため、ＡＣＫ／ＮＡＣＫチャネル同士で衝突する確率は低くなる。【０１０６】  次に、共有例１−６−２について具体的に説明する。【０１０７】  図１０に示すように、下り回線リソース１および７（下り回線リソース８および１４）には、割当用制御チャネルＣＨ＃１およびＣＨ＃２（割当用制御チャネルＣＨ＃３およびＣＨ＃４）において、１回目送信にそれぞれ関連付��られたＡＣＫ／ＮＡＣＫチャネルＣＨ＃１，１およびＣＨ＃２，１（ＡＣＫ／ＮＡＣＫチャネルＣＨ＃３，１およびＣＨ＃４，１）がそれぞれ１個ずつ配置される。【０１０８】  また、図１０に示すように、下り回線リソース２〜６（下り回線リソース９〜１３）は、割当用制御チャネルＣＨ＃１（割当用制御チャネルＣＨ＃３）および２回目送信〜６回目送信にそれぞれ関連付けられたＡＣＫ／ＮＡＣＫチャネルＣＨ＃１，２〜ＣＨ＃１，６（ＡＣＫ／ＮＡＣＫチャネルＣＨ＃３，２〜ＣＨ＃３，６）と、割当用制御チャネルＣＨ＃２（割当用制御チャネルＣＨ＃４）および２回目送信〜６回目送信にそれぞれ関連付けられたＡＣＫ／ＮＡＣＫチャネルＣＨ＃２，２〜ＣＨ＃２，６（ＡＣＫ／ＮＡＣＫチャネルＣＨ＃４，２〜ＣＨ＃４，６）とによって共有される。【０１０９】  ここで、図１０に示す下り回線リソース２〜６（下り回線リソース９〜１３）の各下り回線リソースには、共有例１−１と同様に、多い送信回数に関連付けられたＡＣＫ／ＮＡＣＫチャネルと少ない送信回数に関連付けられたＡＣＫ／ＮＡＣＫチャネルとによって共有される。【０１１０】  基地局は移動局から送信された上り回線データに対してＡＣＫ信号またはＮＡＣＫ信号のいずれかを必ず送信するため、各割当制御チャネルに関連付けられたＡＣＫ／ＮＡＣＫチャネルのうち、１回目送信に対応付けられたＡＣＫ／ＮＡＣＫチャネルは必ず使用される。【０１１１】  よって、図１０に示すように、必ず使用される１回目送信に対応付けられたＡＣＫ／ＮＡＣＫチャネルの下り回線リソースを他のＡＣＫ／ＮＡＣＫチャネルと共有しないことで、確実に互いに異なるＡＣＫ／ＮＡＣＫチャネルの衝突を回避することができる。また、再送が発生した場合に使用され得る２回目送信以降に関連付けられたＡＣＫ／ＮＡＣＫチャネルを複数のＡＣＫ／ＮＡＣＫチャネルによって共有することで、下り回線リソースを効率良く使用することができる。【０１１２】  このように、本例によれば、使用頻度が多いＡＣＫ／ＮＡＣＫチャネルほど同一下り回線リソースを使用する他のＡＣＫ／ＮＡＣＫチャネルの数が少なくなるため、ＡＣＫ／ＮＡＣＫチャネル同士の衝突の確率を低くすることができる。【０１１３】  以上、共有例１−１〜１−６について説明した。【０１１４】  なお、上記図３、図５、図７、図８、図９および図１０に示した下り回線リソースは論理レベルの下り回線リソースであり、実際には、物理レベルのＡＣＫ／ＮＡＣＫチャネル用リソースに各ＡＣＫ／ＮＡＣＫチャネルが配置される。例えば、図１１に示すように、周波数領域および時間領域で定義される物理レベルのＡＣＫ／ＮＡＣＫチャネル用リソースに図３に示す各ＡＣＫ／ＮＡＣＫチャネルが配置される。なお、図１１では、周波数および時間をＡＣＫ／ＮＡＣＫチャネル用の物理リソースとしたが、ＡＣＫ／ＮＡＣＫチャネル用の物理リソースとして、空間、符号を用いてもよい。また、ＡＣＫ／ＮＡＣＫチャネル用の物理リソースは、図１１に示すように連続して構成されずに、周波数領域または時間領域で分散して構成されてもよい。【０１１５】  このようにして本実施の形態によれば、互いに異なる割当用制御チャネルおよび互いに異なる送信回数に関���付けられたＡＣＫ／ＮＡＣＫチャネルが効率良く下り回線リソースを共有するため、ＡＣＫ／ＮＡＣＫチャネルが配置される下り回線リソースを削減することができ、よって、データ伝送効率を向上させることができる。【０１１６】  （実施の形態２）
本実施の形態では、割当用制御チャネルが複数のＣＣＥ（Ｃｏｎｔｒｏｌ  Ｃｈａｎｎｅｌ  Ｅｌｅｍｅｎｔ）と呼ばれるリソース単位で構成される場合について説明する。【０１１７】  以下、本実施の形態における下り回線リソースの共有例の詳細について説明する。【０１１８】  ＜共有例２−１＞【０１１９】  以下の説明では、図１２に示すように、４個のＣＣＥ＃１〜＃４を用いる。また、割当用制御チャネルは、４個のＣＣＥのうちのＣＣＥ番号が隣接するＣＣＥで構成され、サブフレーム毎に可変のＣＣＥ数で構成される。例えば、図１２に示すように、割当用制御チャネルＣＨ＃１はＣＣＥ＃１の１つのＣＣＥで構成され、割当用制御チャネルＣＨ＃２はＣＣＥ＃２の１つのＣＣＥで構成され、割当用制御チャネルＣＨ＃３はＣＣＥ＃３およびＣＣＥ＃４の２つのＣＣＥで構成される。また、より低いＭＣＳレベルに対応する割当用制御チャネルほど、より多くのＣＣＥで構成される。【０１２０】  本例では、下り回線リソースは、互いに隣接する複数のＣＣＥでそれぞれ構成される複数の割当用制御チャネルに関連付けられた複数のＡＣＫ／ＮＡＣＫチャネルによって共有される。【０１２１】  以下、具体的に説明する。ここでは、図１２に示すように４個のＣＣＥ＃１〜＃４を用いて割当用制御チャネルＣＨ＃１〜ＣＨ＃３を構成する。ただし、基地局では、割当用制御チャネルとして、４個のＣＣＥ＃１〜＃４にそれぞれ対応する最大４個の割当用制御チャネルＣＨ＃１〜ＣＨ＃４の下り回線リソースを予め確保する。また、想定する上り回線データの最大送信回数を６回とする。【０１２２】  図１３に示すように、下り回線リソース１〜６（下り回線リソース７〜１２）は、割当用制御チャネルＣＨ＃１（ＣＨ＃３）の１回目送信から６回目送信に関連付けられたＡＣＫ／ＮＡＣＫチャネルＣＨ＃１，１〜ＣＨ＃１，６（ＡＣＫ／ＮＡＣＫチャネルＣＨ＃３，１〜ＣＨ＃３，６）と、割当用制御チャネルＣＨ＃１（ＣＨ＃３）に隣接する割当用制御チャネルＣＨ＃２（ＣＨ＃４）の１回目送信から６回目送信に関連付けられたＡＣＫ／ＮＡＣＫチャネルＣＨ＃２，１〜ＣＨ＃２，６（ＡＣＫ／ＮＡＣＫチャネルＣＨ＃４，１〜ＣＨ＃４，６）とによって共有される。【０１２３】  ここで、図１３に示す下り回線リソース１〜６（下り回線リソース７〜１２）の各下り回線リソースは、実施の形態１の共有例１−１と同様に、多い送信回数に関連付けられたＡＣＫ／ＮＡＣＫチャネルと少ない送信回数に関連付けられたＡＣＫ／ＮＡＣＫチャネルとによって共有される。【０１２４】  よって、図１３に示す下り回線リソース１〜６は、ＣＣＥ＃１で構成される割当用制御チャネルＣＨ＃１に関連付けられたＡＣＫ／ＮＡＣＫチャネルＣＨ＃１，１〜ＣＨ＃１，６とＣＣＥ＃２で構成される割当用制御チャネルＣＨ＃２に関連付けられたＣＨ＃２，１〜ＣＨ＃２，６とによって共有され、共有例１−１と同様の効果を得ることができる。【０１２５】  一方、図１３に示す下り回線リソース７〜１２では、割当用制御チャネルＣＨ＃３がＣＣＥ＃３およびＣＣＥ＃４によって構成され、割当用制御チャネルＣＨ＃３で割り当てられた移動局の上り回線データに対する応答信号は１個である。このため、ここ��は割当用制御チャネルＣＨ＃４は使用されず、割当用制御チャネルＣＨ＃４に関連付けられたＡＣＫ／ＮＡＣＫチャネルＣＨ＃４，１〜ＣＨ＃４，６は使用されない。すなわち、下り回線リソース７〜１２では、ＡＣＫ／ＮＡＣＫチャネルの衝突が一切発生しない。【０１２６】  このように、本例によれば、下り回線リソースが、互いに隣接する複数のＣＣＥで構成される割当用制御チャネルに関連付けられた複数のＡＣＫ／ＮＡＣＫチャネルによって共有される。このため、複数のＣＣＥを連結して１つの割当用制御チャネルを構成する場合、ＡＣＫ／ＮＡＣＫチャネルの衝突が無くなり、下り回線リソースを効率良く使用することができる。【０１２７】  なお、本例では、実施の形態１の共有例１−１と同様に、多い送信回数に関連付けられたＡＣＫ／ＮＡＣＫチャネルと少ない送信回数に関連付けられたＡＣＫ／ＮＡＣＫチャネルとによって下り回線リソースを共有する場合について説明したが、実施の形態１の共有例１−３と同様にして下り回線リソースを共有してもよい。【０１２８】  ＜共有例２−２＞
本例では、上り回線割当用制御チャネルと下り回線割当用制御チャネルとで複数のＣＣＥが共有して使用される場合について説明する。【０１２９】  以下、具体的に説明する。ここでは、図１４に示すように、８個のＣＣＥ＃１〜＃８を用いる。また、上り回線割当用制御チャネルはＣＣＥ＃１からＣＣＥ＃８に昇順で使用され、下り回線割当用制御チャネルはＣＣＥ＃８からＣＣＥ＃１に降順で使用される。また、上り回線割当用制御チャネルとして使用されるＣＣＥ数および下り回線割当用制御チャネルとして使用されるＣＣＥ数はサブフレーム毎に可変となる。すなわち、上り回線の通信量が多い場合は上り回線割当用制御チャネルとして使用されるＣＣＥ数を多くし、下り回線の通信量が多い場合は下り回線割当用制御チャネルとして使用されるＣＣＥ数を多くする。【０１３０】  つまり、図１４に示すＣＣＥ＃１〜ＣＣＥ＃８において、ＣＣＥ＃１は上り回線割当用制御チャネルとしての使用頻度が最も高く、ＣＣＥ＃８は下り回線割当用制御チャネルとしての使用頻度が最も高い。換言すると、ＣＣＥ＃８は上り回線割当用制御チャネルとしての使用頻度が最も低い。【０１３１】  そこで、本例では、実施の形態１の共有例１−５と同様にして、下り回線リソースは、使用頻度が高いＣＣＥで構成される上り回線割当用制御チャネルに関連付けられたＡＣＫ／ＮＡＣＫチャネルと使用頻度が低いＣＣＥで構成される上り回線割当用制御チャネルに関連付けられたＡＣＫ／ＮＡＣＫチャネルとによって共有される。【０１３２】  以下、具体的に説明する。ここでは、図１４に示すように、上り回線割当用制御チャネルにＣＣＥ＃１〜＃４が使用され、下り回線割当用制御チャネルにＣＣＥ＃５〜＃８が使用される。また、ＣＣＥ＃１〜＃４によって、図１４に示すように割当用制御チャネルＣＨ＃１〜ＣＨ＃３が構成される。ただし、基地局では、割当用制御チャネルとして、８個のＣＣＥ＃１〜＃８にそれぞれ対応する最大８個の割当用制御チャネルＣＨ＃１〜ＣＨ＃８の下り回線リソースを予め確保する。また、想定する上り回線データの最大送信回数を６回とする。また、ここでは、説明を簡単にするため、ＣＣＥ＃１で構成される上り回線割当用制御チャネルＣＨ＃１およびＣＣＥ＃２で構成される上り回線割当用制御チャネルＣＨ＃２についてのみ説明する。【０１３３】  図１５に示すように、下り回線リソース１〜６（下り回線リソース７〜１２）は、割当用制御チャネルＣＨ＃１（ＣＨ＃２）の１回目送信から６回目送信に関連付けられたＡＣＫ／ＮＡＣＫチャネルＣＨ＃１，１〜ＣＨ＃１，６（ＡＣＫ／ＮＡＣＫチャネルＣＨ＃２，１〜ＣＨ＃２，６）と、割当用制御チャネルＣＨ＃８（ＣＨ＃７）の１回目送信から６回目送信に関連付けられたＡＣＫ／ＮＡＣＫチャネルＣＨ＃８，１〜ＣＨ＃８，６（ＡＣＫ／ＮＡＣＫチャネルＣＨ＃７，１〜ＣＨ＃７，６）とによって共有される。【０１３４】  ここで、図１５に示す下り回線リソース１〜６（下り回線リソース７〜１２）の各下り回線リソースには、実施の形態１の共有例１−１と同様に、多い送信回数に関連付けられたＡＣＫ／ＮＡＣＫチャネルと少ない送信回数に関連付けられたＡＣＫ／ＮＡＣＫチャネルとによって共有される。【０１３５】  図１４に示すように、上り回線割当用制御チャネルにＣＣＥ＃１〜＃４が使用され、下り回線割当用制御チャネルにＣＣＥ＃５〜＃８が使用されるため、上り回線割当用制御チャネルに関連付けられたＡＣＫ／ＮＡＣＫチャネルとして、ＡＣＫ／ＮＡＣＫチャネルＣＨ＃８，１〜ＣＨ＃８，６（ＡＣＫ／ＮＡＣＫチャネルＣＨ＃７，１〜ＣＨ＃７，６）が使用されることがない。【０１３６】  よって、図１５に示す下り回線リソース１〜６（下り回線リソース７〜１２）では、ＡＣＫ／ＮＡＣＫチャネルＣＨ＃１，１〜ＣＨ＃１，６（ＡＣＫ／ＮＡＣＫチャネルＣＨ＃２，１〜ＣＨ＃２，６）のみが使用され、ＡＣＫ／ＮＡＣＫチャネルＣＨ＃８，１〜ＣＨ＃８，６（ＡＣＫ／ＮＡＣＫチャネルＣＨ＃７，１〜ＣＨ＃７，６）と衝突することが一切無くなる。【０１３７】  このように、本例によれば、下り回線リソースは、使用頻度が高いＡＣＫ／ＮＡＣＫチャネルと使用頻度が低いＡＣＫ／ＮＡＣＫチャネルとで共有されるため、ＡＣＫ／ＮＡＣＫチャネルが衝突する確率を低くすることができる。よって、上り回線データ割当用制御チャネルと下り回線データ割当用制御チャネルとで複数のＣＣＥが共有して使用される場合でも、データ伝送効率を向上することができる。【０１３８】  なお、本例では、実施の形態１の共有例１−１と同様に、多い送信回数に関連付けられたＡＣＫ／ＮＡＣＫチャネルと少ない送信回数に関連付けられたＡＣＫ／ＮＡＣＫチャネルとによって下り回線リソースを共有する場合について説明したが、実施の形態１の共有例１−３と同様にして下り回線リソースを共有してもよい。【０１３９】  以上、共有例２−１〜２−２について説明した。【０１４０】  このように、本実施の形態によれば、割当用制御チャネルが複数のＣＣＥで構成される場合でも、データ伝送効率を向上することができる。【０１４１】  以上、本発明の各実施の形態について説明した。【０１４２】  なお、上記各実施の形態では上り回線の応答信号を伝送する場合について説明したが、本発明を下り回線の応答信号に適用することもできる。例えば、移動局が上記基地局１００と同様の処理を行うことにより、本発明を下り回線の応答信号に適用することができる。ただし、下り回線リソースの割当は、基地局が行う。すなわち、移動局では、上記基地局１００における割当用制御チャネル割当部１０１と同様の処理を行わない。よって、移動局は下り回線データの割当要求用上り制御チャネルに関連付けられたＡＣＫ／ＮＡＣＫチャネルを用いて応答信号を送信する。あるいは、移動局は下り回線データの割当通知用下り制御チャネルに関連付けられたＡＣＫ／ＮＡＣＫチャネルを用いて応答信号を送信する。【０１４３】  また、上記各実施の形態では、下り回線リソースは、異なる割当用制御チャネルに関連付けられた複数のＡＣＫ／ＮＡＣＫチャネルによって共有される場合について説明したが、下り回線リソースは、同一の割当用制御チャネルにおいて異なる送信回数に関連付けられた複数のＡＣＫ／ＮＡＣＫチャネルによって共有されてもよい。例えば、図１６に示すように、下り回線リソース１〜３において、実施の形態１の共有例１−１と同様にして、下り回線リソース１は、割当用制御チャネルＣＨ＃１および１回目送信に関連付けられたＡＣＫ／ＮＡＣＫチャネルＣＨ＃１，１と割当用制御チャネルＣＨ＃１および６回目送信に関連付けられたＡＣＫ／ＮＡＣＫチャネルＣＨ＃１，６とによって共有され、下り回線リソース２は、割当用制御チャネルＣＨ＃１および２回目送信に関連付けられたＡＣＫ／ＮＡＣＫチャネルＣＨ＃１，２と割当用制御チャネルＣＨ＃１および５回目送信に関連付けられたＡＣＫ／ＮＡＣＫチャネルＣＨ＃１，５とによって共有され、下り回線リソース３は、割当用制御チャネルＣＨ＃１および３回目送信に関連付けられたＡＣＫ／ＮＡＣＫチャネルＣＨ＃１，３と割当用制御チャネルＣＨ＃１および４回目送信に関連付けられたＡＣＫ／ＮＡＣＫチャネルＣＨ＃１，４とによって共有されてもよい。【０１４４】  また、図１７に示すように下り回線リソース１〜３において、実施の形態１の共有例１−３と同様にして、下り回線リソース１は、割当用制御チャネルＣＨ＃１および１回目送信に関連付けられたＡＣＫ／ＮＡＣＫチャネルＣＨ＃１，１と割当用制御チャネルＣＨ＃１および４回目送信に関連付けられたＡＣＫ／ＮＡＣＫチャネルＣＨ＃１，４とによって共有され、下り回線リソース２は、割当用制御チャネルＣＨ＃１および２回目送信に関連付けられたＡＣＫ／ＮＡＣＫチャネルＣＨ＃１，２と割当用制御チャネルＣＨ＃１および５回目送信に関連付けられたＡＣＫ／ＮＡＣＫチャネルＣＨ＃１，５とによって共有され、下り回線リソース３は、割当用制御チャネルＣＨ＃１および３回目送信に関連付けられたＡＣＫ／ＮＡＣＫチャネルＣＨ＃１，３と割当用制御チャネルＣＨ＃１および６回目送信に関連付けられたＡＣＫ／ＮＡＣＫチャネルＣＨ＃１，６とによって共有されてもよい。【０１４５】  また、上記各実施の形態の説明で用いた割当用制御チャネルは、一般的にはＰＤＣＣＨ（Ｐｈｙｓｉｃａｌ  Ｄｏｗｎｌｉｎｋ  Ｃｏｎｔｒｏｌ  Ｃｈａｎｎｅｌ）、ＳＣＣＨ（Ｓｈａｒｅｄ  Ｃｏｎｔｒｏｌ  Ｃｈａｎｎｅｌ）、Ｌ１／Ｌ２  Ｃｏｎｔｒｏｌ  Ｃｈａｎｎｅｌ、ＵＬ  ｇｒａｎｔチャネル、およびＣＣＣＨ（Ｃｏｍｍｏｎ  Ｃｏｎｔｒｏｌ  Ｃｈａｎｎｅｌ）と称されることもある。また、ＡＣＫ／ＮＡＣＫチャネルは、ＨＩＣＨ（Ｈｙｂｒｉｄ  ＡＲＱ  Ｉｎｄｉｃａｔｏｒ  Ｃｈａｎｎｅｌ）と称されることもある。【０１４６】  また、上記各実施の形態では、全ての下り回線リソースについて複数のＡＣＫ／ＮＡＣＫチャネルによって共有する場合について説明したが、本発明は一部の下り回線リソースに対して適用してもよい。【０１４７】  また、本発明は、上記各実施の形態で説明した下り回線リソース共有例を組み合わせて下り回線リソースを共有してもよい。【０１４８】  また、上記各実施の形態では、２個のＡＣＫ／ＮＡＣＫチャネルを１つの下り回線リソースで共有する場合について説明したが、２個のＡＣＫ／ＮＡＣＫチャネルに限らず、３個以上のＡＣＫ／ＮＡＣＫチャネルを１つの下り回線リソースで共有してもよい。【０１４９】  また、移動局はＵＥ、基地局はＮｏｄｅ  Ｂと称されることもある。【０１５０】  また、誤り検出の方法はＣＲＣ判定に限られない。【０１５１】  また、上記実施の形態では、本発明をハードウェ���で構成する場合を例にとって説明したが、本発明はソフトウェアで実現することも可能である。【０１５２】  また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。【０１５３】  また、集積回路化の手法はＬＳＩに限るものではなく、専用回路または汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用してもよい。【０１５４】  さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。【０１５５】  ２００７年５月１日出願の特願２００７−１２０８４８の日本出願に含まれる明細書、図面および要約書の開示内容は、すべて本願に援用される。
【産業上の利用可能性】
【０１５６】  本発明は、移動体通信システム等に適用することができる。
【図１】
2008136194.tif 000003
【図２】
2008136194.tif 000004
【図３】
2008136194.tif 000005
【図４】
2008136194.tif 000006
【図５】
2008136194.tif 000007
【図６】
2008136194.tif 000008
【図７】
2008136194.tif 000009
【図８】
2008136194.tif 000010
【図９】
2008136194.tif 000011
【図１０】
2008136194.tif 000012
【図１１】
2008136194.tif 000013
【図１２】
2008136194.tif 000014
【図１３】
2008136194.tif 000015
【図１４】
2008136194.tif 000016
【図１５】
2008136194.tif 000017
【図１６】
2008136194.tif 000018
【図１７】
2008136194.tif 000019
【手続補正書】
【提出日】平成21年9月10日(2009.9.10)
【手続補正１】
【補正対象書類名】特許請求の範囲
【補正対象項目名】全文
【補正方法】変更
【補正の内容】
【特許請求の範囲】
【請求項１】
上り回線データのリソース割当情報を第１制御チャネルに割り当てる第１割当手段と、
前記上り回線データに対する応答信号を、前記第１制御チャネルおよび前記上り回線データの送信回数に関連付けられた第２制御チャネルに割り当てる第２割当手段と、
前記第２制御チャネルを、前記第２制御チャネルを含む複数の第２制御チャネルによって共有される下り回線リソースに配置する配置手段と、
を具備する無線通信基地局装置。
【請求項２】
前記下り回線リソースは、複数の第１制御チャネルにそれぞれ関連付けられた前記複数の第２制御チャネルによって共有される、
請求項１記載の無線通信基地局装置。
【請求項３】
前記下り回線リソースは、多い送信回数に関連付けられた第２制御チャネルと少ない送信回数に関連付けられた第２制御チャネルとによって共有される、
請求項１記載の無線通信基地局装置。
【請求項４】
複数の下り回線リソースにおいて、前記多い送信回数と前記少ない送信回数との合計が同一である、
請求項３記載の無線通信基地局装置。
【請求項５】
複数の下り回線リソースが、共に上り回線データの送信回数の昇順に並ぶ複数の第２制御チャネルによって共有される、
請求項３記載の無線通信基地局装置。
【請求項６】
前記第２割当手段は、前記応答信号を、前記第１制御チャネルが通知された後の前記送信回数に関連付けられた前記第２制御チャネルに割り当てる、
請求項１記載の無線通信基地局装置。
【請求項７】
前記下り回線リソースは、高いＭＣＳレベルの第１制御チャネルに関連付けられた第２制御チャネルと低いＭＣＳレベルの第１制御チャネルに関連付けられた第２制御チャネルとによって共有される、
請求項１記載の無線通信基地局装置。
【請求項８】
前記下り回線リソースは、使用頻度が高い第１制御チャネルに関連付けられた第２制御チャネルと使用頻度が低い第１制御チャネルに関連付けられた第２制御チャネルとによって共有される、
請求項１記載の無線通信基地局装置。
【請求項９】
前記下り回線リソースは、前記送信回数が多くなるほどより多数の第２制御チャネルによって共有される、
請求項１記載の無線通信基地局装置。
【請求項１０】
前記第１割当手段は、複数のＣＣＥで構成される前記第１制御チャネルに前記リソース割当情報を割り当てる、
請求項１記載の無線通信基地局装置。
【請求項１１】
前記下り回線リソースは、互いに隣接する複数のＣＣＥでそれぞれ構成される複数の第１制御チャネルに関連付けられた前記複数の第２制御チャネルによって共有される、
請求項１記載の無線通信基地局装置。
【請求項１２】
前記下り回線リソースは、使用頻度が高いＣＣＥで構成される第１制御チャネルに関連付けられた第２制御チャネルと使用頻度が低いＣＣＥで構成される第１制御チャネルに関連付けられた第２制御チャネルとによって共有される、
請求項１記載の無線通信基地局装置。
【請求項１３】
第１制御チャネルを用いて割り当てられた下り回線データに対する応答信号を、前記第１制御チャネルおよび前記下り回線データの送信回数に関連付けられた第２制御チャネルに割り当てる割当手段と、
前記第２制御チャネルを、前記第２制御チャネルを含む複数の第２制御チャネルによって共有される上り回線リソースに配置する配置手段と、
を具備する無線通信移動局装置。
【請求項１４】
上り回線データの互いに異なる送信回数にそれぞれ関連付けられた複数の第２制御チャネルによって１つの下り回線リソースを共有する、
リソース共有方法。
【手続補正２】
【補正対象書類名】明細書
【補正対象項目名】全文
【補正方法】変更
【補正の内容】
【発明の詳細な説明】
【技術分野】
【０００１】
本発明は、無線通信基地局装置およびリソース共有方法に関する。
【背景技術】
【０００２】
移動体通信では、上り回線で無線通信移動局装置（以下、単に移動局という）から無線通信基地局装置（以下、単に基地局という）へ伝送される上り回線データに対してＡＲＱ（Automatic Repeat Request）が適用され、上り回線データの誤り検出結果を示す応答信号が下り回線で移動局へフィードバックされる。基地局は上り回線データに対しＣＲＣ（Cyclic Redundancy Check）判定を行って、ＣＲＣ＝ＯＫ（誤り無し）であればＡＣＫ（Acknowledgment）信号を、ＣＲＣ＝ＮＧ（誤り有り）であればＮＡＣＫ（Negative Acknowledgment）信号を応答信号として移動局へフィードバックする。
【０００３】
ここで、上り回線データに同期ＨＡＲＱ（Hybrid ARQ）を適用することが検討されている。同期ＨＡＲＱでは、基地局は上り回線データの受信後、所定時間経過後に応答信号を移動局へフィードバックし、移動局は、基地局からＮＡＣＫ信号がフィードバックされた場合には、ＮＡＣＫ信号の受信後、所定時間経過後に上り回線データを基地局へ再送する。また、同期ＨＡＲＱにおいて、下り回線の通信リソースを効率良く使用するために、上り回線リソースを各移動局に割り当てるための下り回線の割当用制御チャネルおよび上り回線データの送信回数に、下り回線で応答信号を伝送するためのＡＣＫ／ＮＡＣＫチャネルを関連付けることが検討されている（非特許文献１参照）。これにより、移動局は、ＡＣＫ／ＮＡＣＫチャネルの割当情報を別途通知されなくても、基地局からの割当用制御チャネルおよび上り回線データの送信回数に従って自局宛てのＡＣＫ／ＮＡＣＫチャネルを判断することができる。
【非特許文献１】3GPP RAN WG1 Meeting document, R1-070932, “Assignment of Downlink ACK/NACK Channel”, Panasonic, February 2007
【発明の開示】
【発明が解決しようとする課題】
【０００４】
上記従来技術では、応答信号を伝送するために、割当用制御チャネル数と最大送信回数とを掛け合わせた数のＡＣＫ／ＮＡＣＫチャネル数分だけ下り回線リソースを確保する必要がある。
【０００５】
しかし、想定される最大送信回数まで再送が行われることは稀であるため、多い送信回数の上り回線データに対する応答信号用に確保しているリソースは無駄である。
【０００６】
本発明の目的は、ＡＣＫ／ＮＡＣＫチャネルに必要な下り回線リソースを減少させてデータ伝送効率を向上させることができる基地局およびリソース共有方法を提供することである。
【課題を解決するための手段】
【０００７】
本発明の基地局は、上り回線データのリソース割当情報を第１制御チャネルに割り当てる第１割当手段と、前記上り回線データに対する応答信号を、前記第１制御チャネルおよび前記上り回線データの送信回数に関連付けられた第２制御チャネルに割り当てる第２割当手段と、前記第２制御チャネルを、前記第２制御チャネルを含む複数の第２制御チャネルによって共有される下り回線リソースに配置する配置手段と、を具備する構成を採る。
【発明の効果】
【０００８】
本発明によれば、ＡＣＫ／ＮＡＣＫチャネルに必要な下り回線リソースを減少させてデータ伝送効率を向上させることができる。
【発明を実施するための最良の形態】
【０００９】
以下、本発明の実施の形態について、添付図面を参照して詳細に説明する。
【００１０】
（実施の形態１）
本実施の形態に係る基地局１００の構成を図１に示す。
【００１１】
なお、説明が煩雑になることを避けるために、図１では、本発明と密接に関連する上り回線割当情報の下り回線での送信、上り回線データに対する応答信号の下り回線での送信および、上り回線データの受信に係わる構成部を示し、下り回線データの送信に係わる構成部の図示および説明を省略する。
【００１２】
図１に示す基地局１００において、割当用制御チャネル割当部１０１には、最大Ｋ個の移動局＃１〜＃Ｋに対して、どの上り回線リソースをどの移動局に割り当てたかを示す上り回線割当情報＃１〜＃Ｋが入力される。割当用制御チャネル割当部１０１は、入力される上り回線割当情報＃１〜＃Ｋを割当用制御チャネルＣＨ＃１〜＃Ｋのいずれかに割り当てる。割当用制御チャネル割当部１０１は、上り回線割当情報＃１〜＃Ｋを割り当てた割当用制御チャネルそれぞれに対応する符号化・変調部１０２−１〜１０２−Ｋにそれぞれ出力する。また、割当用制御チャネル割当部１０１は、どの移動局の上り回線割当情報をどの割当用制御チャネルに割り当てたかを示す制御チャネル割当情報をＡＣＫ／ＮＡＣＫチャネル割当部１０５に出力する。
【００１３】
符号化・変調部１０２−１〜１０２−Ｋは、割当用制御チャネル＃１〜＃Ｋに対応して備えられる。符号化・変調部１０２−１〜１０２−Ｋにおいて、各符号化部１１は、入力される各上り回線割当情報を符号化して各変調部１２に出力する。そして、各変調部１２は、各符号化部１１から入力される符号化後の各上り回線割当情報を変調して上り回線割当情報シンボルを生成し、配置部１０６に出力する。
【００１４】
変調部１０３は、誤り検出部１１２から入力される各移動局の応答信号を変調する。そ
して、変調部１０３は、変調後の応答信号をＡＣＫ／ＮＡＣＫチャネル割当部１０５に出力する。
【００１５】
送信回数カウント部１０４は、誤り検出部１１２から入力される各移動局の応答信号に基づいて各移動局の上り回線データの送信回数をカウントする。すなわち、送信回数カウント部１０４は、ＮＡＣＫ信号が連続して入力される回数をカウントし、ＡＣＫ信号が入力されると送信回数をリセットする。そして、送信回数カウント部１０４は、送信回数をＡＣＫ／ＮＡＣＫチャネル割当部１０５に出力する。
【００１６】
ＡＣＫ／ＮＡＣＫチャネル割当部１０５は、変調部１０３から入力される応答信号を、割当用制御チャネル割当部１０１から入力される制御チャネル割当情報と送信回数カウント部１０４から入力される送信回数とに基づくＡＣＫ／ＮＡＣＫチャネルに割り当てる。すなわち、ＡＣＫ／ＮＡＣＫチャネル割当部１０５は、各移動局に対する応答信号を、各移動局の上り回線割当情報が割り当てられた割当用制御チャネルおよび各移動局の上り回線データの送信回数に関連付けられたＡＣＫ／ＮＡＣＫチャネルに割り当てる。そして、ＡＣＫ／ＮＡＣＫチャネル割当部１０５は、ＡＣＫ／ＮＡＣＫチャネルに割り当てられた応答信号を配置部１０６に出力する。
【００１７】
配置部１０６は、上り回線割当情報シンボルが割り当てられた割当用制御チャネルを割当用制御チャネルに確保された下り回線リソースに配置し、応答信号が割り当てられたＡＣＫ／ＮＡＣＫチャネルを、そのＡＣＫ／ＮＡＣＫチャネルを含む複数のＡＣＫ／ＮＡＣＫチャネルによって共有される下り回線リソースに配置する。そして、配置部１０６は、各チャネルを配置した後の信号を無線送信部１０７に出力する。ここで、下り回線リソースは複数の割当用制御チャネルにそれぞれ関連付けられた複数のＡＣＫ／ＮＡＣＫチャネルによって共有される。下り回線リソースの共有例についての詳細な説明を後述する。
【００１８】
無線送信部１０７は、配置部１０６から入力される信号に対しＤ／Ａ変換、増幅およびアップコンバート等の送信処理を行ってアンテナ１０８から各移動局へ送信する。
【００１９】
一方、無線受信部１０９は、各移動局から送信された上り回線データをアンテナ１０８を介して受信し、この上り回線データに対しダウンコンバート、Ａ／Ｄ変換等の受信処理を行う。
【００２０】
復調部１１０は、上り回線データを復調し、復調後の上り回線データを復号部１１１に出力する。
【００２１】
復号部１１１は、復調後の上り回線データを復号し、復号後の上り回線データを誤り検出部１１２に出力する。
【００２２】
誤り検出部１１２は、復号後の上り回線データに対してＣＲＣ判定を用いた誤り検出を行って、ＣＲＣ＝ＯＫ（誤り無し）の場合はＡＣＫ信号を、ＣＲＣ＝ＮＧ（誤り有り）の場合はＮＡＣＫ信号を応答信号として生成し、生成した応答信号を変調部１０３および送信回数カウント部１０４に出力する。また、誤り検出部１１２は、ＣＲＣ＝ＯＫ（誤り無し）の場合、復号後の上り回線データを受信データとして出力する。
【００２３】
一方、各移動局では、基地局から自局宛ての割当用制御チャネルを受信した場合、上り回線割当情報およびＭＣＳ（Modulation and Coding Scheme）に従って送信データを基地局に送信する。また、各移動局は、自局宛てに割り当てられた割当用制御チャネルおよび送信データの送信回数に関連付けられたＡＣＫ／ＮＡＣＫチャネルに割り当てられた応答信号を受信する。ここで、各移動局では、どのＡＣＫ／ＮＡＣＫチャネルがどの下り回線
リソースに対応しているかを上位レイヤで指示されるか、予め規定される。そして、各移動局は、応答信号がＡＣＫ信号である場合、次の送信データを送信するために、基地局から自局宛ての割当用制御チャネルが送信されるまで待機する。一方、各移動局は、応答信号がＮＡＣＫ信号である場合、送信データを再送する。
【００２４】
次に、本実施の形態に係る具体的なシーケンス例を図２に示す。図２に示す基地局は上記図１に示す構成を採る。ここで、割当用制御チャネルＣＨ＃ｘおよび送信回数ｙに関連付けられたＡＣＫ／ＮＡＣＫチャネルをＡＣＫ／ＮＡＣＫチャネルＣＨ＃ｘ，ｙとする。
【００２５】
まず基地局は、サブフレーム１で、上り回線リソースを移動局１に割り当てることを示す上り回線割当情報を割当用制御チャネルＣＨ＃１に割り当てて送信し、上り回線リソースを移動局２に割り当てることを示す上り回線割当情報を割当用制御チャネルＣＨ＃２に割り当てて送信する。
【００２６】
自局宛ての上り回線割当情報を受信した移動局１は、サブフレーム２で上り回線データを送信（１回目送信）し、自局宛ての上り回線割当情報を受信した移動局２は、サブフレーム２で上り回線データを送信（１回目送信）する。
【００２７】
移動局１からの上り回線データを受信した基地局は、この上り回線データに対しＣＲＣ判定を行う。ＣＲＣ＝ＮＧ（誤り有り）の場合、基地局は、サブフレーム３で、ＮＡＣＫ信号をフィードバックする。ここでフィードバックされるＮＡＣＫ信号は、割当用制御チャネルＣＨ＃１（ｘ＝１）および１回目送信（ｙ＝１）に関連付けられたＡＣＫ／ＮＡＣＫチャネルＣＨ＃１，１に割り当てられる。
【００２８】
一方、移動局２からの上り回線データを受信した基地局は、この上り回線データに対しＣＲＣ判定を行う。ＣＲＣ＝ＯＫ（誤り無し）の場合、基地局は、サブフレーム３で、ＡＣＫ信号をフィードバックする。ここで、フィードバックされるＡＣＫ信号は、割当用制御チャネルＣＨ＃２（ｘ＝２）および１回目送信（ｙ＝１）に関連付けられたＡＣＫ／ＮＡＣＫチャネルＣＨ２，１に割り当てられる。
【００２９】
さらに、基地局は、サブフレーム３で、上り回線リソースを移動局２に割当てることを示す上り回線割当情報を割当用制御チャネルＣＨ＃１に割り当てて送信する。
【００３０】
次いで、サブフレーム３でＮＡＣＫ信号を受信した移動局１は、サブフレーム４で上り回線データを再送（２回目送信）する。また、サブフレーム３でＡＣＫ信号を受信し、さらに、自局宛ての上り回線割当情報を受信した移動局２は、サブフレーム４で上り回線データを送信（１回目送信）する。
【００３１】
移動局１からの上り回線データを受信した基地局は、この上り回線データに対しＣＲＣ判定を行う。ＣＲＣ＝ＯＫ（誤り無し）の場合、基地局は、サブフレーム５で、ＡＣＫ信号をフィードバックする。ここで、フィードバックされるＡＣＫ信号は、割当用制御チャネルＣＨ＃１（ｘ＝１）および２回目送信（ｙ＝２）に関連付けられたＡＣＫ／ＮＡＣＫチャネルＣＨ１，２に割り当てられる。
【００３２】
また、移動局２からの上り回線データを受信した基地局は、この上り回線データに対しＣＲＣ判定を行う。ＣＲＣ＝ＯＫ（誤り無し）の場合、基地局は、サブフレーム５で、ＡＣＫ信号をフィードバックする。ここで、フィードバックされるＡＣＫ信号は、割当用制御チャネルＣＨ＃１（ｘ＝１）および１回目送信（ｙ＝１）に関連付けられたＡＣＫ／ＮＡＣＫチャネルＣＨ１，１に割り当てられる。
【００３３】
次に、本実施の形態における下り回線リソースの共有例の詳細について説明する。以下の説明では、割当用制御チャネルは４個の割当用制御チャネルＣＨ＃１〜ＣＨ＃４とし、想定する上り回線データの最大送信回数を６回とする。
【００３４】
＜共有例１−１＞
本例では、下り回線リソースは、多い送信回数に関連付けられたＡＣＫ／ＮＡＣＫチャネルと少ない送信回数に関連付けられたＡＣＫ／ＮＡＣＫチャネルとによって共有される。
【００３５】
具体的には、図３に示すように、下り回線リソース１は、割当用制御チャネルＣＨ＃１および１回目送信（初回送信）に関連付けられたＡＣＫ／ＮＡＣＫチャネルＣＨ＃１，１と割当用制御チャネルＣＨ＃２および最大送信回数の６回目送信（再送５回目）に関連付けられたＡＣＫ／ＮＡＣＫチャネルＣＨ＃２，６とによって共有される。また、下り回線リソース２は、割当用制御チャネルＣＨ＃１および２回目送信（再送１回目）に関連付けられたＡＣＫ／ＮＡＣＫチャネルＣＨ＃１，２と割当用制御チャネルＣＨ＃２および５回目送信（再送４回目）に関連付けられたＡＣＫ／ＮＡＣＫチャネルＣＨ＃２，５とによって共有される。また、下り回線リソース３は、割当用制御チャネルＣＨ＃１および３回目送信（再送２回目）に関連付けられたＡＣＫ／ＮＡＣＫチャネルＣＨ＃１，３と割当用制御チャネルＣＨ＃２および４回目送信（再送３回目）に関連付けられたＡＣＫ／ＮＡＣＫチャネルＣＨ＃２，４とによって共有される。また、下り回線リソース４は、割当用制御チャネルＣＨ＃１および４回目送信（再送３回目）に関連付けられたＡＣＫ／ＮＡＣＫチャネルＣＨ＃１，４と割当用制御チャネルＣＨ＃２および３回目送信（再送２回目）に関連付けられたＡＣＫ／ＮＡＣＫチャネルＣＨ＃２，３とによって共有される。また、下り回線リソース５は、割当用制御チャネルＣＨ＃１および５回目送信（再送４回目）に関連付けられたＡＣＫ／ＮＡＣＫチャネルＣＨ＃１，５と割当用制御チャネルＣＨ＃２および２回目送信（再送１回目）に関連付けられたＡＣＫ／ＮＡＣＫチャネルＣＨ＃２，２とによって共有される。また、下り回線リソース６は、割当用制御チャネルＣＨ＃１および最大送信回数の６回目送信（再送５回目）に関連付けられたＡＣＫ／ＮＡＣＫチャネルＣＨ＃１，６と割当用制御チャネルＣＨ＃２および１回目送信（初回送信）に関連付けられたＡＣＫ／ＮＡＣＫチャネルＣＨ＃２，１とによって共有される。
【００３６】
すなわち、図３に示すように、割当用制御チャネルＣＨ＃１に関連付けられたＡＣＫ／ＮＡＣＫチャネルＣＨ＃１，１〜ＣＨ＃１，６は、送信回数が増加するに従い下り回線リソース１から下り回線リソース６に昇順で並ぶように配置される。また、割当用制御チャネルＣＨ＃２に関連付けられたＡＣＫ／ＮＡＣＫチャネルＣＨ＃２，１〜ＣＨ＃２，６は、送信回数が増加するに従い下り回線リソース６から下り回線リソース１に降順で並ぶように配置される。
【００３７】
また、このとき、下り回線リソース１〜６において、多い送信回数と少ない送信回数との合計は同一である。つまり、下り回線リソース１〜６において、各々を共有するＡＣＫ／ＮＡＣＫチャネルが関連付けられている送信回数の合計は全ての下り回線リソースで同一の７となる。
【００３８】
そして、下り回線リソース７〜１２も同様にして、割当用制御チャネルＣＨ＃３に関連付けられたＡＣＫ／ＮＡＣＫチャネルＣＨ＃３，１〜ＣＨ＃３，６および割当用制御チャネルＣＨ＃４に関連付けられたＡＣＫ／ＮＡＣＫチャネルＣＨ＃４，１〜ＣＨ＃４，６において、図３に示すように、多い送信回数に関連付けられたＡＣＫ／ＮＡＣＫチャネルと少ない送信回数に関連付けられたＡＣＫ／ＮＡＣＫチャネルとによって共有される。つまり、図３に示すように、割当用制御チャネルＣＨ＃３に関連付けられたＡＣＫ／ＮＡＣＫチャネルＣＨ＃３，１〜ＣＨ＃３，６は、送信回数が増加するに従い下り回線リソース７
から下り回線リソース１２に昇順で並ぶように配置される。また、割当用制御チャネルＣＨ＃４に関連付けられたＡＣＫ／ＮＡＣＫチャネルＣＨ＃４，１〜ＣＨ＃４，６は、送信回数が増加するに従い下り回線リソース１２から下り回線リソース７に降順で並ぶように配置される。
【００３９】
このように、割当用制御チャネルを４個として、上り回線データの最大送信回数を６回としたとき、各ＡＣＫ／ＮＡＣＫチャネルにそれぞれ異なる下り回線リソースを使用する場合、２４（４×６）個の下り回線リソースが必要になるのに対し、本例のように下り回線リソースを共有することで半分の１２個の下り回線リソースを確保すればよい。つまり、残りの半分の１２個の下り回線リソースをデータ用に確保することができ、データ伝送効率が向上する。
【００４０】
また、一般に、多くの移動局は少ない送信回数でデータ送信を完了することができるため、多い送信回数に関連づけられたＡＣＫ／ＮＡＣＫチャネルが使用されることは極めて少ない。よって、図３に示す下り回線リソース１〜３（下り回線リソース７〜９）において、割当用制御チャネルＣＨ＃１（ＣＨ＃３）および少ない送信回数に関連付けられたＡＣＫ／ＮＡＣＫチャネルＣＨ＃１，１〜ＣＨ＃１，３（ＣＨ＃３，１〜ＣＨ＃３，３）は使用頻度が高く、割当用制御チャネルＣＨ＃２（ＣＨ＃４）および多い送信回数に関連付けられたＡＣＫ／ＮＡＣＫチャネルＣＨ＃２，６〜ＣＨ＃２，４（ＣＨ＃４，６〜ＣＨ＃４，４）は使用頻度が低い。
【００４１】
また、図３に示す下り回線リソース４〜６（下り回線リソース１０〜１２）において、割当用制御チャネルＣＨ＃１（ＣＨ＃３）および多い送信回数に関連付けられたＡＣＫ／ＮＡＣＫチャネルＣＨ＃１，４〜ＣＨ＃１，６（ＣＨ＃３，４〜ＣＨ＃３，６）は使用頻度が低く、割当用制御チャネルＣＨ＃２（ＣＨ＃４）および少ない送信回数に関連付けられたＡＣＫ／ＮＡＣＫチャネルＣＨ＃２，３〜ＣＨ＃２，１（ＣＨ＃４，３〜ＣＨ＃４，１）は使用頻度が高い。
【００４２】
これより、図３に示す下り回線リソース１〜６（下り回線リソース７〜１２）において、同一下り回線リソースを共有する２つのＡＣＫ／ＮＡＣＫチャネルが同一サブフレームで同時に使用される可能性は低くなる。
【００４３】
このように、本例によれば、下り回線リソースは、多い送信回数に関連付けられたＡＣＫ／ＮＡＣＫチャネルと少ない送信回数に関連付けられたＡＣＫ／ＮＡＣＫチャネルとによって共有される。このため、互いに異なるＡＣＫ／ＮＡＣＫチャネルによって、下り回線リソース全体を万遍なく使用することができ、かつ、１つの下り回線リソースを共有する複数のＡＣＫ／ＮＡＣＫチャネルが同時に使用される確率を低くすることができる。よって、ＡＣＫ／ＮＡＣＫチャネル用の下り回線リソースを効率良く使用して、ＡＣＫ／ＮＡＣＫチャネルに必要な下り回線リソースを削減することができる。
【００４４】
＜共有例１−２＞
共有例１−１のように、多い送信回数に関連付けられたＡＣＫ／ＮＡＣＫチャネルと少ない送信回数に関連付けられたＡＣＫ／ＮＡＣＫチャネルとによって下り回線リソースを共有することで、下り回線リソースを効率良く使用することができる。
【００４５】
しかしながら、複数の割当用制御チャネルにそれぞれ関連付けられた複数のＡＣＫ／ＮＡＣＫチャネルで同時に同一下り回線リソースを使用することによるＡＣＫ／ＮＡＣＫチャネルの衝突が生じる可能性は残る。例えば、割当用制御チャネルＣＨ＃１で割当てられた移動局１が４回目送信を行い、割当用制御チャネルＣＨ＃２で割当てられた移動局２が３回目送信を行った場合、基地局では、図３に示すように、ＡＣＫ／ＮＡＣＫチャネルＣ
Ｈ＃１，４およびＡＣＫ／ＮＡＣＫチャネルＣＨ＃２，３にそれぞれの応答信号を割当てるため、下り回線リソース４でＡＣＫ／ＮＡＣＫチャネル同士の衝突が生じてしまう。
【００４６】
そこで、本例では、同一下り回線リソースでの異なるＡＣＫ／ＮＡＣＫチャネル同士の衝突を回避するために、応答信号を、割当用制御チャネルが通知された後の上り回線データの送信回数に関連付けられたＡＣＫ／ＮＡＣＫチャネルに割り当てる。
【００４７】
本例に係る割当用制御チャネル割当部１０１には、どの応答信号をどのＡＣＫ／ＮＡＣＫチャネルに割り当てたかを示すＡＣＫ／ＮＡＣＫチャネル割当情報がＡＣＫ／ＮＡＣＫチャネル割当部１０５から入力される。割当用制御チャネル割当部１０１は、複数の応答信号が同一下り回線リソースに共有される複数のＡＣＫ／ＮＡＣＫチャネルに同時に割り当てられるか否かをＡＣＫ／ＮＡＣＫチャネル割当情報に基づいて判断する。そして、割当用制御チャネル割当部１０１は、複数の応答信号が複数のＡＣＫ／ＮＡＣＫチャネルに同時に割り当てられる場合、それぞれのＡＣＫ／ＮＡＣＫチャネルに関連付けられた割当用制御チャネルが割り当てられた移動局のいずれかに対する上り回線割当情報を同一割当用制御チャネルに再度割り当てる。
【００４８】
送信回数カウント部１０４には、割当用制御チャネル割当部１０１から制御チャネル割当情報が入力される。そして、送信回数カウント部１０４は、上り回線割当情報が割当制御チャネルに再度割り当てられたとき、その割当用制御チャネルが割り当てられている移動局からの上り回線データの送信回数を初期状態にする。
【００４９】
すなわち、割当用制御チャネルは、上り回線データの送信回数をリセットする役割を担う。
【００５０】
一方、移動局では、応答信号を受信するときに、同時に割当用制御チャネルも受信するようにする。そして、移動局は、ＮＡＣＫ信号とともに自局宛ての割当用制御チャネルを受信した場合、次回以降の再送する上り回線データに対する応答信号を１回目送信に関連付けられたＡＣＫ／ＮＡＣＫチャネルに再び戻って順次受信する。
【００５１】
次に、本例に係る具体的なシーケンス例を図４に示す。ここでは、共有例１−１と同様に、図３に示すように、下り回線リソースが互いに異なるＡＣＫ／ＮＡＣＫチャネルによって共有される。
【００５２】
まず、基地局は、サブフレーム１で、上り回線リソースを移動局１に割り当てることを示す上り回線割当情報を割当用制御チャネルＣＨ＃１に割り当てて送信する。
【００５３】
自局宛ての上り回線割当情報を受信した移動局１は、サブフレーム２で上り回線データを送信（１回目送信）する。
【００５４】
移動局１からの上り回線データを受信した基地局は、この上り回線データに対しＣＲＣ判定を行う。ＣＲＣ＝ＮＧ（誤り有り）の場合、基地局は、サブフレーム３で、ＮＡＣＫ信号をフィードバックする。ここでフィードバックされるＮＡＣＫ信号は、割当用制御チャネルＣＨ＃１および割当用制御チャネルＣＨ＃１が通知された後の１回目送信に関連付けられたＡＣＫ／ＮＡＣＫチャネルＣＨ＃１，１に割り当てられる。
【００５５】
また、基地局は、サブフレーム３で、上り回線リソースを移動局２に割り当てることを示す上り回線割当情報を割当用制御チャネルＣＨ＃２に割り当てて送信する。
【００５６】
サブフレーム３でＮＡＣＫ信号を受信した移動局１は、サブフレーム４で上り回線デー
タを再送（２回目送信）する。また、サブフレーム３で自局宛ての上り回線割当情報を受信した移動局２は、サブフレーム４で上り回線データを送信（１回目送信）する。
【００５７】
そして、移動局１および移動局２からのそれぞれの上り回線データを受信した基地局は、それぞれの上り回線データに対してＣＲＣ判定を行い、それぞれＣＲＣ＝ＮＧ（誤り有り）であった場合、サブフレーム５（図示せず）で各移動局に対するＮＡＣＫ信号をフィードバックする。ここで、移動局１に対するＮＡＣＫ信号は、割当用制御チャネルＣＨ＃１および割当用制御チャネルＣＨ＃１で通知された後の２回目送信に関連付けられたＡＣＫ／ＮＡＣＫチャネルＣＨ＃１，２に割り当てられる。一方、移動局２に対するＮＡＣＫ信号は、割当用制御チャネルＣＨ＃２および割当用制御チャネルＣＨ＃２で通知された後の１回目送信に関連付けられたＡＣＫ／ＮＡＣＫチャネルＣＨ＃２，１に割り当てられる。
【００５８】
さらに、サブフレーム６（図示せず）で移動局１は上り回線データを送信（３回目送信）し、移動局２は上り回線データを送信（２回目送信）する。
【００５９】
移動局１および移動局２からのそれぞれの上り回線データを受信した基地局は、同様にして、それぞれの上り回線データに対してＣＲＣ判定を行う。そして、基地局は、それぞれＣＲＣ＝ＮＧ（誤り有り）であった場合、サブフレーム７で、各移動局に対するＮＡＣＫ信号をフィードバックする。移動局１に対するＮＡＣＫ信号は、割当用制御チャネルＣＨ＃１および割当用制御チャネルＣＨ＃１で通知された後の３回目送信に関連付けられたＡＣＫ／ＮＡＣＫチャネルＣＨ＃１，３に割り当てられ、移動局２に対するＮＡＣＫ信号は、割当用制御チャネルＣＨ＃２および割当用制御チャネルＣＨ＃２で通知された後の２回目送信に関連付けられたＡＣＫ／ＮＡＣＫチャネルＣＨ＃２，２に割り当てられる。
【００６０】
ここで、図３に示すように、ＡＣＫ／ＮＡＣＫチャネルＣＨ＃１，３は下り回線リソース３に配置され、ＡＣＫ／ＮＡＣＫチャネルＣＨ＃２，２は下り回線リソース５に配置される。よって、移動局１および移動局２から次のサブフレーム８で送信される上り回線データに対する応答信号は、ＡＣＫ／ＮＡＣＫチャネルＣＨ＃１，４およびＡＣＫ／ＮＡＣＫチャネルＣＨ＃２，３となる。つまり、同一下り回線リソース４を使用するため、ＡＣＫ／ＮＡＣＫチャネル同士の衝突が生じてしまう。
【００６１】
そこで、基地局は、サブフレーム７で、移動局１にＮＡＣＫ信号を送信すると同時に、上り回線リソースを移動局１に割り当てることを示す上り回線割当情報をサブフレーム１のときと同一の割当用制御チャネルＣＨ＃１に割り当てて送信する。なお、割当用制御チャネルが送信される移動局は移動局１に限らず、移動局２でもよいが、送信回数のリセットを行うために割当用制御チャネルを送信する回数を低く抑えるために、ＡＣＫ／ＮＡＣＫチャネルに関連付けられた送信回数が多い移動局に通知することが好ましい。
【００６２】
次いで、サブフレーム７で、ＮＡＣＫ信号を受信した移動局１は、サブフレーム８で上り回線データを再送（４回目送信）する。ここで、サブフレーム７で自局宛ての上り回線割当情報を再度受信した移動局１は、再送された上り回線データに対する応答信号を１回目送信に関連付けられたＡＣＫ／ＮＡＣＫチャネルで受信するように再設定する。また、サブフレーム７で、ＮＡＣＫ信号を受信した移動局２は、サブフレーム８で上り回線データを送信（３回目送信）する。
【００６３】
移動局１からの上り回線データを受信した基地局は、この上り回線データに対しＣＲＣ判定を行う。ＣＲＣ＝ＯＫ（誤り無し）の場合、基地局は、サブフレーム９で、ＡＣＫ信号をフィードバックする。ここで、フィードバックされるＡＣＫ信号は、割当用制御チャネルＣＨ＃１および割当用制御チャネルＣＨ＃１で通知された後の１回目送信に関連付け
られたＡＣＫ／ＮＡＣＫチャネルＣＨ１，１に割り当てられる。
【００６４】
また、移動局２からの上り回線データを受信した基地局は、この上り回線データに対しＣＲＣ判定を行う。ＣＲＣ＝ＯＫ（誤り無し）の場合、基地局は、サブフレーム９で、ＡＣＫ信号をフィードバックする。ここで、フィードバックされるＡＣＫ信号は、割当用制御チャネルＣＨ＃２および割当用制御チャネルＣＨ＃２で通知された後の３回目送信に関連付けられたＡＣＫ／ＮＡＣＫチャネルＣＨ２，３に割り当てられる。
【００６５】
このように、本例によれば、図４に示すサブフレーム９において、移動局１に対する応答信号を割り当てるＡＣＫ／ＮＡＣＫチャネルをリセットすることで、移動局１に対する応答信号が割り当てられたＡＣＫ／ＮＡＣＫチャネルと移動局２に対する応答信号が割り当てられたＡＣＫ／ＮＡＣＫチャネルとが衝突することを回避することができる。
【００６６】
なお、本例では、割当用制御チャネルを移動局に対して再度通知した後に、１回目送信に関連付けられたＡＣＫ／ＮＡＣＫチャネルを使用したが、本発明は、割当用制御チャネルを移動局に対して再度通知する際に、どのＡＣＫ／ＮＡＣＫチャネルを使用するかを指示する情報を通知してもよい。
【００６７】
また、本例では、割当用制御チャネルを下り回線リソースの割当をリセットするために使用したが、割当用制御チャネルを、上り回線でシングルキャリア伝送が用いられる場合にデータ用リソースが分断され（Fragmentation）、データ伝送効率が悪くなることを回避するために使用してもよい。この場合、割当用制御チャネルには、どの移動局に対してどのデータ用リソースを再割当するかを示す情報を含めてもよい。
【００６８】
また、本例では、１回目送信（初回送信）時に上り回線リソース割当情報が割り当てられた割当用制御チャネル（例えば、割当用制御チャネルＣＨ＃１）と同一の割当用制御チャネルを下り回線リソースの割当をリセットするために使用したが、異なる割当用制御チャネル（例えば、割当用制御チャネルＣＨ＃３）を使用してもよい。この場合、次の再送に対しては新たに使用した割当用制御チャネルに関連付けられたＡＣＫ／ＮＡＣＫチャネルを用いる。
【００６９】
＜共有例１−３＞
本例では、下り回線リソースは、多い送信回数に関連付けられたＡＣＫ／ＮＡＣＫチャネルと少ない送信回数に関連付けられたＡＣＫ／ＮＡＣＫチャネルとによって共有される点において共有例１−１と同一であるが、複数の下り回線リソースが、共に上り回線データの送信回数の昇順に並ぶ複数のＡＣＫ／ＮＡＣＫチャネルによって共有される点において共有例１−１と相違する。
【００７０】
具体的には、図５に示すように、下り回線リソース１は、割当用制御チャネルＣＨ＃１および１回目送信（初回送信）に関連付けられたＡＣＫ／ＮＡＣＫチャネルＣＨ＃１，１と、割当用制御チャネルＣＨ＃４および４回目送信（再送３回目）に関連付けられたＡＣＫ／ＮＡＣＫチャネルＣＨ＃４，４とによって共有される。また、下り回線リソース２は、割当用制御チャネルＣＨ＃１および２回目送信（再送１回目）に関連付けられたＡＣＫ／ＮＡＣＫチャネルＣＨ＃１，２と、割当用制御チャネルＣＨ＃４および５回目送信（再送４回目）に関連付けられたＡＣＫ／ＮＡＣＫチャネルＣＨ＃４，５とによって共有される。また、下り回線リソース３は、割当用制御チャネルＣＨ＃１および３回目送信（再送２回目）に関連付けられたＡＣＫ／ＮＡＣＫチャネルＣＨ＃１，３と、割当用制御チャネルＣＨ＃４および最大送信回数の６回目送信（再送５回目）に関連付けられたＡＣＫ／ＮＡＣＫチャネルＣＨ＃４，６とによって共有される。また、下り回線リソース４は、割当用制御チャネルＣＨ＃１および４回目送信（再送３回目）に関連付けられたＡＣＫ／ＮＡ
ＣＫチャネルＣＨ＃１，４と、割当用制御チャネルＣＨ＃２および１回目送信（初回送信）に関連付けられたＡＣＫ／ＮＡＣＫチャネルＣＨ＃２，１とによって共有される。また、下り回線リソース５は、割当用制御チャネルＣＨ＃１および５回目送信（再送４回目）に関連付けられたＡＣＫ／ＮＡＣＫチャネルＣＨ＃１，５と、割当用制御チャネルＣＨ＃２および２回目送信（再送１回目）に関連付けられたＡＣＫ／ＮＡＣＫチャネルＣＨ＃２，２とによって共有される。また、下り回線リソース６は、割当用制御チャネルＣＨ＃１および最大送信回数の６回目送信（再送５回目）に関連付けられたＡＣＫ／ＮＡＣＫチャネルＣＨ＃１，６と、割当用制御チャネルＣＨ＃２および３回目送信（再送２回目）に関連付けられたＡＣＫ／ＮＡＣＫチャネルＣＨ＃２，３とによって共有される。
【００７１】
同様に、図５に示すように、下り回線リソース７は、割当用制御チャネルＣＨ＃３および１回目送信（初回送信）に関連付けられたＡＣＫ／ＮＡＣＫチャネルＣＨ＃３，１と、割当用制御チャネルＣＨ＃２および４回目送信（再送３回目）に関連付けられたＡＣＫ／ＮＡＣＫチャネルＣＨ＃２，４とによって共有される。また、下り回線リソース８は、割当用制御チャネルＣＨ＃３および２回目送信（再送１回目）に関連付けられたＡＣＫ／ＮＡＣＫチャネルＣＨ＃３，２と、割当用制御チャネルＣＨ＃２および５回目送信（再送４回目）に関連付けられたＡＣＫ／ＮＡＣＫチャネルＣＨ＃２，５とによって共有される。また、下り回線リソース９は、割当用制御チャネルＣＨ＃３および３回目送信（再送２回目）に関連付けられたＡＣＫ／ＮＡＣＫチャネルＣＨ＃３，３と、割当用制御チャネルＣＨ＃２および最大送信回数の６回目送信（再送５回目）に関連付けられたＡＣＫ／ＮＡＣＫチャネルＣＨ＃２，６とによって共有される。また、下り回線リソース１０は、割当用制御チャネルＣＨ＃３および４回目送信（再送３回目）に関連付けられたＡＣＫ／ＮＡＣＫチャネルＣＨ＃３，４と、割当用制御チャネルＣＨ＃４および１回目送信（初回送信）に関連付けられたＡＣＫ／ＮＡＣＫチャネルＣＨ＃４，１とによって共有される。また、下り回線リソース１１は、割当用制御チャネルＣＨ＃３および５回目送信（再送４回目）に関連付けられたＡＣＫ／ＮＡＣＫチャネルＣＨ＃３，５と、割当用制御チャネルＣＨ＃４および２回目送信（再送１回目）に関連付けられたＡＣＫ／ＮＡＣＫチャネルＣＨ＃４，２とによって共有される。また、下り回線リソース１２は、割当用制御チャネルＣＨ＃３および最大送信回数の６回目送信（再送５回目）に関連付けられたＡＣＫ／ＮＡＣＫチャネルＣＨ＃３，６と、割当用制御チャネルＣＨ＃４および３回目送信（再送２回目）に関連付けられたＡＣＫ／ＮＡＣＫチャネルＣＨ＃４，３とによって共有される。
【００７２】
すなわち、図５に示すように、割当用制御チャネルＣＨ＃１に関連付けられたＡＣＫ／ＮＡＣＫチャネルＣＨ＃１，１〜ＣＨ＃１，６は、下り回線リソース１〜６において、送信回数が増加するに従い下り回線リソース１から下り回線リソース６に昇順で並ぶように配置される。また、割当用制御チャネルＣＨ＃２に関連付けられたＡＣＫ／ＮＡＣＫチャネルＣＨ＃２，１〜ＣＨ＃２，６は、下り回線リソース４〜９において、送信回数が増加するに従い下り回線リソース４から下り回線リソース９に昇順で並ぶように配置される。また、割当用制御チャネルＣＨ＃３に関連付けられたＡＣＫ／ＮＡＣＫチャネルＣＨ＃３，１〜ＣＨ＃３，６は、下り回線リソース７〜１２において、送信回数が増加するに従い下り回線リソース７から下り回線リソース１２に昇順で並ぶように配置される。また、割当用制御チャネルＣＨ＃４に関連付けられたＡＣＫ／ＮＡＣＫチャネルＣＨ＃４，１〜ＣＨ＃４，６は、下り回線リソース１０〜１２および下り回線リソース１〜３において、送信回数が増加するに従い下り回線リソース１０から下り回線リソース１２および下り回線リソース１から下り回線リソース３に昇順で並ぶように配置される。つまり、下り回線リソース１〜１２において、各割当用制御チャネルＣＨ＃１〜ＣＨ＃４に関連付けられたＡＣＫ／ＮＡＣＫチャネルは、図５に示すように割当制御チャネル毎に下り回線リソースを３個ずつずらして、送信回数の昇順に並んで配置される。
【００７３】
また、図５に示すように、下り回線リソース１〜１２において、同一下り回線リソース
を共有する２つのＡＣＫ／ＮＡＣＫチャネルに関連付けられた送信回数は、（１回目送信と４回目送信）、（２回目送信と５回目送信）および（３回目送信と６回目送信）の組み合わせのいずれかである。つまり、下り回線リソースは、多い送信回数に関連付けられたＡＣＫ／ＮＡＣＫチャネルと少ない送信回数に関連付けられたＡＣＫ／ＮＡＣＫチャネルとによって共有されるため、同一下り回線リソースが同一サブフレームで同時に使用される可能性は低くなる。
【００７４】
さらに、基地局では、他の移動局に対する応答信号が、各割当用制御チャネルおよび１回目送信に関連付けられたＡＣＫ／ＮＡＣＫチャネルと同一下り回線リソースを共有する他のＡＣＫ／ＮＡＣＫチャネルに既に割り当てられている場合、既に割り当てられているＡＣＫ／ＮＡＣＫチャネルと下り回線リソースを共有する１回目送信に関連付けられた割当用制御チャネル以外の割当用制御チャネルに上り回線割当情報を割り当てる。
【００７５】
例えば、図５に示す下り回線リソースにおいて、下り回線リソース４のＡＣＫ／ＮＡＣＫチャネルＣＨ＃１，４に既に他の移動局に対する応答信号が割り当てられている場合、ＡＣＫ／ＮＡＣＫチャネルＣＨ＃１，４と同一下り回線リソース４を共有するＡＣＫ／ＮＡＣＫチャネルＣＨ＃２，１に関連付けられた割当用制御チャネルＣＨ＃２以外の割当用制御チャネルＣＨ＃１、ＣＨ＃３またはＣＨ＃４のいずれかに上り回線割当情報を割り当てる。
【００７６】
このように、図５に示す下り回線リソース１〜１２において、１回目送信に関連付けられたＡＣＫ／ＮＡＣＫチャネルにおいて、ＡＣＫ／ＮＡＣＫチャネル同士の衝突を予め回避すれば、送信回数が増加しても各割当用制御チャネルに関連付けられたＡＣＫ／ＮＡＣＫチャネルは互いに平行して下り回線リソースを昇順にシフトする。そのため、ＡＣＫ／ＮＡＣＫチャネル同士の衝突は発生しない。
【００７７】
このように、本例によれば、共有例１−２のようにＡＣＫ／ＮＡＣＫチャネルの衝突を回避するために割当用制御チャネルを送信することなく、共有例１−１と同様の効果を得ることができる。また、共有例１−２のようにＡＣＫ／ＮＡＣＫチャネルの衝突を回避するために送信した割当用制御チャネルに受信誤りが発生するとＡＣＫ／ＮＡＣＫチャネルの衝突を回避できないことがあり得る。しかし、本例によれば、ＡＣＫ／ＮＡＣＫチャネルの衝突を予め回避するように割当用制御チャネルを割り当てるため、確実に衝突を回避することができる。
【００７８】
＜共有例１−４＞
本例では、下り回線リソースは、高いＭＣＳレベルの割当用制御チャネルに関連付けられたＡＣＫ／ＮＡＣＫチャネルと低いＭＣＳレベルの割当用制御チャネルに関連付けられたＡＣＫ／ＮＡＣＫチャネルとによって共有される。
【００７９】
本例に係る割当用制御チャネル割当部１０１には、図示しないＣＱＩ（Channel Quality Indicator）測定部から各移動局の回線品質を示すＣＱＩ情報が入力される。割当用制御チャネル割当部１０１は、ＣＱＩ情報に基づいて、上り回線割当情報＃１〜＃Ｋを割当用制御チャネルＣＨ＃１〜ＣＨ＃Ｋのいずれかに割り当てる。具体的には、割当用制御チャネル割当部１０１は、図６に示すＭＣＳテーブルおよびＣＱＩ情報に基づいて、上り回線割当情報を割当用制御チャネルＣＨ＃１〜ＣＨ＃４のいずれかに割り当てる。例えば、ＣＱＩ情報に対応するＭＣＳが図６に示す変調方式ＱＰＳＫ、符号化率Ｒ＝１／３の場合、割当用制御チャネル割当部１０１は、上り回線割当情報を割当用制御チャネルＣＨ＃１またはＣＨ＃２のいずれかに割り当てる。また、ＣＱＩ情報に対応するＭＣＳが図６に示す変調方式１６ＱＡＭ、符号化率Ｒ＝１／２の場合、割当用制御チャネル割当部１０１は、上り回線割当情報を割当用制御チャネルＣＨ＃３またはＣＨ＃４のいずれかに割り当て
る。
【００８０】
符号化・変調部１０２−１〜１０２−Ｋは、それぞれが異なるＭＣＳレベルに固定して対応しており、割当用制御チャネル割当部１０１から入力される上り回線割当情報＃１〜＃ＫのいずれかをそれぞれのＭＣＳに対応した符号化率で符号化し、それぞれのＭＣＳに対応した変調方式で変調する。
【００８１】
本例のように複数のＭＣＳの割当用制御チャネルが使用される場合、セル中心付近の移動局ほど、より高いＭＣＳレベルの割当用制御チャネルが割り当てられる。
【００８２】
また、セル中心付近の移動局からの上り回線データを基地局では十分な送信電力によって受信できるため、セル中心付近の移動局からの上り回線データについては、誤り率特性が良く、送信回数が少なくなる。一方、セル境界付近の移動局からの上り回線データを基地局では十分な送信電力で受信することができないため、セル境界付近の移動局からの上り回線データについては、誤り率特性が悪く、送信回数が多くなる。
【００８３】
よって、高いＭＣＳレベルの割当用制御チャネルが割り当てられたセル中心付近の移動局では、多い送信回数に関連付けられたＡＣＫ／ＮＡＣＫチャネルの使用頻度が低くなる。一方、低いＭＣＳレベルの割当用制御チャネルが割り当てられたセル境界付近の移動局では、多い送信回数に関連付けられたＡＣＫ／ＮＡＣＫチャネルの使用頻度が高くなる。
【００８４】
そこで、高いＭＣＳレベルの割当用制御チャネルに関連付けられたＡＣＫ／ＮＡＣＫチャネルと低いＭＣＳレベルの割当用制御チャネルに関連付けられたＡＣＫ／ＮＡＣＫチャネルとによって下り回線リソースを共有する。これにより、同一下り回線リソースが、高いＭＣＳレベルの割当用制御チャネルおよび多い送信回数に関連付けられたＡＣＫ／ＮＡＣＫチャネルによって使用されずに、低いＭＣＳレベルの割当用制御チャネルに関連付けられたＡＣＫ／ＮＡＣＫチャネルによってのみ使用されることが多くなる。よって、ＡＣＫ／ＮＡＣＫチャネル同士の衝突の確率が低くなる。よって、本例によれば、下り回線リソースを効率良く使用して、下り回線リソースの共有によってデータ伝送効率を向上することができる。
【００８５】
具体的には、図７に示すように、下り回線リソース１〜６（下り回線リソース７〜１２）は、低いＭＣＳレベルの割当用制御チャネルＣＨ＃１（ＣＨ＃２）および１回目送信から６回目送信に関連付けられたＡＣＫ／ＮＡＣＫチャネルＣＨ＃１，１〜ＣＨ＃１，６（ＡＣＫ／ＮＡＣＫチャネルＣＨ＃２，１〜ＣＨ＃２，６）と、高いＭＣＳレベルの割当用制御チャネルＣＨ＃３（ＣＨ＃４）および１回目送信から６回目送信に関連付けられたＡＣＫ／ＮＡＣＫチャネルＣＨ＃３，１〜ＣＨ＃３，６（ＡＣＫ／ＮＡＣＫチャネルＣＨ＃４，１〜ＣＨ＃４，６）とによって共有される。
【００８６】
ここで、図７に示す下り回線リソース１〜６（下り回線リソース７〜１２）の各下り回線リソースは、共有例１−１と同様に、多い送信回数に関連付けられたＡＣＫ／ＮＡＣＫチャネルと少ない送信回数に関連付けられたＡＣＫ／ＮＡＣＫチャネルとによって共有される。
【００８７】
このようにして、本例によれば、割当用制御チャネルが複数のＭＣＳを使用可能な場合、下り回線リソースが、多い送信回数での下り回線リソースの使用頻度が高い（ＭＣＳレベルが低い）移動局と少ない送信回数での下り回線リソースの使用頻度が低い（ＭＣＳレベルが高い）移動局とによって共有される。このため、共有例１−１よりも下り回線リソースを効率良く使用することができる。
【００８８】
なお、本例では、高いＭＣＳレベルの割当用制御チャネルと低いＭＣＳレベルの割当用制御チャネルとにそれぞれ関連付けられた複数のＡＣＫ／ＮＡＣＫチャネルにおいて、共有例１−１と同様に、多い送信回数に関連付けられたＡＣＫ／ＮＡＣＫチャネルと少ない送信回数に関連付けられたＡＣＫ／ＮＡＣＫチャネルとによって下り回線リソースを共有する場合について説明したが、共有例１−３と同様にして下り回線リソースを共有してもよい。
【００８９】
＜共有例１−５＞
本例では、下り回線リソースは、使用頻度が高い割当用制御チャネルに関連付けられたＡＣＫ／ＮＡＣＫチャネルと使用頻度が低い割当用制御チャネルに関連付けられたＡＣＫ／ＮＡＣＫチャネルとによって共有される。
【００９０】
本例に係る割当用制御チャネル割当部１０１は、割当用制御チャネルＣＨ＃１〜ＣＨ＃４を、上り回線割当情報＃１〜＃４に対して割当用制御チャネルＣＨ＃１から昇順に割り当てる。例えば、上り回線割当情報が割り当てられる移動局の数が１個の場合、割当用制御チャネル割当部１０１は、上り回線割当情報を割当用制御チャネルＣＨ＃１に割り当て、上り回線割当情報が割り当てられる移動局の数が２個の場合、割当用制御チャネル割当部１０１は、各上り回線割当情報を割当用制御チャネルＣＨ＃１およびＣＨ＃２に割り当てる。
【００９１】
つまり、割当用制御チャネルＣＨ＃１〜ＣＨ＃４において、割当用制御チャネルＣＨ＃１は上り回線割当情報が割り当てられる場合に必ず使用されるため使用頻度が最も高く、割当用制御チャネルＣＨ＃４は最大割当移動局数である４個の移動局に対して上り回線割当情報が割り当てられる場合のみに使用されるため使用頻度が最も低い。
【００９２】
そこで、使用頻度が高い割当用制御チャネルに関連付けられたＡＣＫ／ＮＡＣＫチャネルと使用頻度が低い割当用制御チャネルに関連付けられたＡＣＫ／ＮＡＣＫチャネルとによって下り回線リソースを共有する。これにより、一方のＡＣＫ／ＮＡＣＫチャネルが使用されるときに他方のＡＣＫ／ＮＡＣＫチャネルが使用されない確率が高くなる。よって、下り回線リソースを共有するＡＣＫ／ＮＡＣＫチャネル同士の衝突の確率が低くなる。
【００９３】
以下、具体的に説明する。図８に示すように、下り回線リソース１〜６（下り回線リソース７〜１２）は、使用頻度が高い割当用制御チャネルＣＨ＃１（ＣＨ＃２）および１回目送信から６回目送信に関連付けられたＡＣＫ／ＮＡＣＫチャネルＣＨ＃１，１〜ＣＨ＃１，６（ＡＣＫ／ＮＡＣＫチャネルＣＨ＃２，１〜ＣＨ＃２，６）と、使用頻度が低い割当用制御チャネルＣＨ＃４（ＣＨ＃３）および１回目送信から６回目送信に関連付けられたＡＣＫ／ＮＡＣＫチャネルＣＨ＃４，１〜ＣＨ＃４，６（ＡＣＫ／ＮＡＣＫチャネルＣＨ＃３，１〜ＣＨ＃３，６）とによって共有される。
【００９４】
ここで、図８に示す下り回線リソース１〜６（下り回線リソース７〜１２）の各下り回線リソースは、共有例１−１と同様に、多い送信回数に関連付けられたＡＣＫ／ＮＡＣＫチャネルと少ない送信回数に関連付けられたＡＣＫ／ＮＡＣＫチャネルとによって共有される。
【００９５】
例えば、割当移動局数が２個の場合、各上り回線割当情報は、割当用制御チャネルＣＨ＃１およびＣＨ＃２に割り当てられる。よって、図８に示す下り回線リソース１〜６（下り回線リソース７〜１２）では、ＡＣＫ／ＮＡＣＫチャネルＣＨ＃１，１〜ＣＨ＃１，６（ＡＣＫ／ＮＡＣＫチャネルＣＨ＃２，１〜ＣＨ＃２，６）のみが使用される。このため、ＡＣＫ／ＮＡＣＫチャネルＣＨ＃３，１〜ＣＨ＃３，６（ＡＣＫ／ＮＡＣＫチャネルＣＨ＃４，１〜ＣＨ＃４，６）と衝突することが一切無くなる。
【００９６】
このように、本例によれば、下り回線リソースでのＡＣＫ／ＮＡＣＫチャネルの衝突確率が低くなるため、共有例１−１よりも下り回線リソースを効率良く使用することができる。
【００９７】
なお、本例では、使用頻度が高い割当用制御チャネルと使用頻度が低い割当用制御チャネルとにそれぞれ関連付けられた複数のＡＣＫ／ＮＡＣＫチャネルにおいて、共有例１−１と同様に、多い送信回数に関連付けられたＡＣＫ／ＮＡＣＫチャネルと少ない送信回数に関連付けられたＡＣＫ／ＮＡＣＫチャネルとによって下り回線リソースを共有する場合について説明したが、共有例１−３と同様にして下り回線リソースを共有してもよい。
【００９８】
＜共有例１−６＞
本例では、下り回線リソースは、送信回数が多くなるほどより多いＡＣＫ／ＮＡＣＫチャネルによって共有される。
【００９９】
まず、共有例１−６−１について具体的に説明する。
【０１００】
図９に示すように、下り回線リソース１〜８には、各割当用制御チャネルＣＨ＃１〜ＣＨ＃４において、１回目送信または２回目送信にそれぞれ関連付けられたＡＣＫ／ＮＡＣＫチャネルＣＨ＃１，１、ＣＨ＃１，２、ＣＨ＃２，１、ＣＨ＃２，２、ＣＨ＃３，１、ＣＨ＃３，２、ＣＨ＃４，１およびＣＨ＃４，２がそれぞれ１個ずつ配置される。
【０１０１】
また、図９に示すように、下り回線リソース９は、割当用制御チャネルＣＨ＃１およびＣＨ＃２において、３回目送信にそれぞれ関連付けられたＡＣＫ／ＮＡＣＫチャネルＣＨ＃１，３とＣＨ＃２，３とによって共有される。また、下り回線リソース１０は、割当用制御チャネルＣＨ＃１およびＣＨ＃２において、４回目送信にそれぞれ関連付けられたＡＣＫ／ＮＡＣＫチャネルＣＨ＃１，４とＣＨ＃２，４とによって共有される。同様に、下り回線リソース１１は、割当用制御チャネルＣＨ＃３およびＣＨ＃４において、３回目送信にそれぞれ関連付けられたＡＣＫ／ＮＡＣＫチャネルＣＨ＃３，３とＣＨ＃４，３とによって共有される。また、下り回線リソース１２は、割当用制御チャネルＣＨ＃３およびＣＨ＃４において、４回目送信にそれぞれ関連付けられたＡＣＫ／ＮＡＣＫチャネルＣＨ＃３，４とＣＨ＃４，４とによって共有される。
【０１０２】
そして、図９に示すように、下り回線リソース１３は、割当用制御チャネルＣＨ＃１〜ＣＨ＃４において、５回目送信にそれぞれ関連付けられたＡＣＫ／ＮＡＣＫチャネルＣＨ＃１，５とＣＨ＃２，５とＣＨ＃３，５とＣＨ＃４，５とによって共有される。また、下り回線リソース１４は、割当用制御チャネルＣＨ＃１〜ＣＨ＃４において、６回目送信にそれぞれ関連付けられたＡＣＫ／ＮＡＣＫチャネルＣＨ＃１，６とＣＨ＃２，６とＣＨ＃３，６とＣＨ＃４，６とによって共有される。
【０１０３】
すなわち、送信回数が１回目〜２回目では、各下り回線リソースには１個のＡＣＫ／ＮＡＣＫチャネルのみ配置される。また、送信回数が３回目〜４回目では、各下り回線リソースが２個のＡＣＫ／ＮＡＣＫチャネルによって共有される。また、送信回数が５回目〜６回目では、各下り回線リソースが４個のＡＣＫ／ＮＡＣＫチャネルによって共有される。
【０１０４】
これにより、より少ない送信回数に関連付けられたＡＣＫ／ＮＡＣＫチャネルほど、他のＡＣＫ／ＮＡＣＫチャネルと衝突する確率がより低くなる。一方、より多い送信回数に関連付けられたＡＣＫ／ＮＡＣＫチャネルほど、他のＡＣＫ／ＮＡＣＫチャネルと衝突する確率が高くなるものの、各移動局で上り回線データの送信回数が多くなることは極めて
少ないため、ＡＣＫ／ＮＡＣＫチャネル同士で衝突する確率は低くなる。
【０１０５】
次に、共有例１−６−２について具体的に説明する。
【０１０６】
図１０に示すように、下り回線リソース１および７（下り回線リソース８および１４）には、割当用制御チャネルＣＨ＃１およびＣＨ＃２（割当用制御チャネルＣＨ＃３およびＣＨ＃４）において、１回目送信にそれぞれ関連付けられたＡＣＫ／ＮＡＣＫチャネルＣＨ＃１，１およびＣＨ＃２，１（ＡＣＫ／ＮＡＣＫチャネルＣＨ＃３，１およびＣＨ＃４，１）がそれぞれ１個ずつ配置される。
【０１０７】
また、図１０に示すように、下り回線リソース２〜６（下り回線リソース９〜１３）は、割当用制御チャネルＣＨ＃１（割当用制御チャネルＣＨ＃３）および２回目送信〜６回目送信にそれぞれ関連付けられたＡＣＫ／ＮＡＣＫチャネルＣＨ＃１，２〜ＣＨ＃１，６（ＡＣＫ／ＮＡＣＫチャネルＣＨ＃３，２〜ＣＨ＃３，６）と、割当用制御チャネルＣＨ＃２（割当用制御チャネルＣＨ＃４）および２回目送信〜６回目送信にそれぞれ関連付けられたＡＣＫ／ＮＡＣＫチャネルＣＨ＃２，２〜ＣＨ＃２，６（ＡＣＫ／ＮＡＣＫチャネルＣＨ＃４，２〜ＣＨ＃４，６）とによって共有される。
【０１０８】
ここで、図１０に示す下り回線リソース２〜６（下り回線リソース９〜１３）の各下り回線リソースには、共有例１−１と同様に、多い送信回数に関連付けられたＡＣＫ／ＮＡＣＫチャネルと少ない送信回数に関連付けられたＡＣＫ／ＮＡＣＫチャネルとによって共有される。
【０１０９】
基地局は移動局から送信された上り回線データに対してＡＣＫ信号またはＮＡＣＫ信号のいずれかを必ず送信するため、各割当制御チャネルに関連付けられたＡＣＫ／ＮＡＣＫチャネルのうち、１回目送信に対応付けられたＡＣＫ／ＮＡＣＫチャネルは必ず使用される。
【０１１０】
よって、図１０に示すように、必ず使用される１回目送信に対応付けられたＡＣＫ／ＮＡＣＫチャネルの下り回線リソースを他のＡＣＫ／ＮＡＣＫチャネルと共有しないことで、確実に互いに異なるＡＣＫ／ＮＡＣＫチャネルの衝突を回避することができる。また、再送が発生した場合に使用され得る２回目送信以降に関連付けられたＡＣＫ／ＮＡＣＫチャネルを複数のＡＣＫ／ＮＡＣＫチャネルによって共有することで、下り回線リソースを効率良く使用することができる。
【０１１１】
このように、本例によれば、使用頻度が多いＡＣＫ／ＮＡＣＫチャネルほど同一下り回線リソースを使用する他のＡＣＫ／ＮＡＣＫチャネルの数が少なくなるため、ＡＣＫ／ＮＡＣＫチャネル同士の衝突の確率を低くすることができる。
【０１１２】
以上、共有例１−１〜１−６について説明した。
【０１１３】
なお、上記図３、図５、図７、図８、図９および図１０に示した下り回線リソースは論理レベルの下り回線リソースであり、実際には、物理レベルのＡＣＫ／ＮＡＣＫチャネル用リソースに各ＡＣＫ／ＮＡＣＫチャネルが配置される。例えば、図１１に示すように、周波数領域および時間領域で定義される物理レベルのＡＣＫ／ＮＡＣＫチャネル用リソースに図３に示す各ＡＣＫ／ＮＡＣＫチャネルが配置される。なお、図１１では、周波数および時間をＡＣＫ／ＮＡＣＫチャネル用の物理リソースとしたが、ＡＣＫ／ＮＡＣＫチャネル用の物理リソースとして、空間、符号を用いてもよい。また、ＡＣＫ／ＮＡＣＫチャネル用の物理リソースは、図１１に示すように連続して構成されずに、周波数領域または時間領域で分散して構成されてもよい。
【０１１４】
このようにして本実施の形態によれば、互いに異なる割当用制御チャネルおよび互いに異なる送信回数に関連付けられたＡＣＫ／ＮＡＣＫチャネルが効率良く下り回線リソースを共有するため、ＡＣＫ／ＮＡＣＫチャネルが配置される下り回線リソースを削減することができ、よって、データ伝送効率を向上させることができる。
【０１１５】
（実施の形態２）
本実施の形態では、割当用制御チャネルが複数のＣＣＥ（Control Channel Element）と呼ばれるリソース単位で構成される場合について説明する。
【０１１６】
以下、本実施の形態における下り回線リソースの共有例の詳細について説明する。
【０１１７】
＜共有例２−１＞
【０１１８】
以下の説明では、図１２に示すように、４個のＣＣＥ＃１〜＃４を用いる。また、割当用制御チャネルは、４個のＣＣＥのうちのＣＣＥ番号が隣接するＣＣＥで構成され、サブフレーム毎に可変のＣＣＥ数で構成される。例えば、図１２に示すように、割当用制御チャネルＣＨ＃１はＣＣＥ＃１の１つのＣＣＥで構成され、割当用制御チャネルＣＨ＃２はＣＣＥ＃２の１つのＣＣＥで構成され、割当用制御チャネルＣＨ＃３はＣＣＥ＃３およびＣＣＥ＃４の２つのＣＣＥで構成される。また、より低いＭＣＳレベルに対応する割当用制御チャネルほど、より多くのＣＣＥで構成される。
【０１１９】
本例では、下り回線リソースは、互いに隣接する複数のＣＣＥでそれぞれ構成される複数の割当用制御チャネルに関連付けられた複数のＡＣＫ／ＮＡＣＫチャネルによって共有される。
【０１２０】
以下、具体的に説明する。ここでは、図１２に示すように４個のＣＣＥ＃１〜＃４を用いて割当用制御チャネルＣＨ＃１〜ＣＨ＃３を構成する。ただし、基地局では、割当用制御チャネルとして、４個のＣＣＥ＃１〜＃４にそれぞれ対応する最大４個の割当用制御チャネルＣＨ＃１〜ＣＨ＃４の下り回線リソースを予め確保する。また、想定する上り回線データの最大送信回数を６回とする。
【０１２１】
図１３に示すように、下り回線リソース１〜６（下り回線リソース７〜１２）は、割当用制御チャネルＣＨ＃１（ＣＨ＃３）の１回目送信から６回目送信に関連付けられたＡＣＫ／ＮＡＣＫチャネルＣＨ＃１，１〜ＣＨ＃１，６（ＡＣＫ／ＮＡＣＫチャネルＣＨ＃３，１〜ＣＨ＃３，６）と、割当用制御チャネルＣＨ＃１（ＣＨ＃３）に隣接する割当用制御チャネルＣＨ＃２（ＣＨ＃４）の１回目送信から６回目送信に関連付けられたＡＣＫ／ＮＡＣＫチャネルＣＨ＃２，１〜ＣＨ＃２，６（ＡＣＫ／ＮＡＣＫチャネルＣＨ＃４，１〜ＣＨ＃４，６）とによって共有される。
【０１２２】
ここで、図１３に示す下り回線リソース１〜６（下り回線リソース７〜１２）の各下り回線リソースは、実施の形態１の共有例１−１と同様に、多い送信回数に関連付けられたＡＣＫ／ＮＡＣＫチャネルと少ない送信回数に関連付けられたＡＣＫ／ＮＡＣＫチャネルとによって共有される。
【０１２３】
よって、図１３に示す下り回線リソース１〜６は、ＣＣＥ＃１で構成される割当用制御チャネルＣＨ＃１に関連付けられたＡＣＫ／ＮＡＣＫチャネルＣＨ＃１，１〜ＣＨ＃１，６とＣＣＥ＃２で構成される割当用制御チャネルＣＨ＃２に関連付けられたＣＨ＃２，１〜ＣＨ＃２，６とによって共有され、共有例１−１と同様の効果を得ることができる。
【０１２４】
一方、図１３に示す下り回線リソース７〜１２では、割当用制御チャネルＣＨ＃３がＣＣＥ＃３およびＣＣＥ＃４によって構成され、割当用制御チャネルＣＨ＃３で割り当てられた移動局の上り回線データに対する応答信号は１個である。このため、ここでは割当用制御チャネルＣＨ＃４は使用されず、割当用制御チャネルＣＨ＃４に関連付けられたＡＣＫ／ＮＡＣＫチャネルＣＨ＃４，１〜ＣＨ＃４，６は使用されない。すなわち、下り回線リソース７〜１２では、ＡＣＫ／ＮＡＣＫチャネルの衝突が一切発生しない。
【０１２５】
このように、本例によれば、下り回線リソースが、互いに隣接する複数のＣＣＥで構成される割当用制御チャネルに関連付けられた複数のＡＣＫ／ＮＡＣＫチャネルによって共有される。このため、複数のＣＣＥを連結して１つの割当用制御チャネルを構成する場合、ＡＣＫ／ＮＡＣＫチャネルの衝突が無くなり、下り回線リソースを効率良く使用することができる。
【０１２６】
なお、本例では、実施の形態１の共有例１−１と同様に、多い送信回数に関連付けられたＡＣＫ／ＮＡＣＫチャネルと少ない送信回数に関連付けられたＡＣＫ／ＮＡＣＫチャネルとによって下り回線リソースを共有する場合について説明したが、実施の形態１の共有例１−３と同様にして下り回線リソースを共有してもよい。
【０１２７】
＜共有例２−２＞
本例では、上り回線割当用制御チャネルと下り回線割当用制御チャネルとで複数のＣＣＥが共有して使用される場合について説明する。
【０１２８】
以下、具体的に説明する。ここでは、図１４に示すように、８個のＣＣＥ＃１〜＃８を用いる。また、上り回線割当用制御チャネルはＣＣＥ＃１からＣＣＥ＃８に昇順で使用され、下り回線割当用制御チャネルはＣＣＥ＃８からＣＣＥ＃１に降順で使用される。また、上り回線割当用制御チャネルとして使用されるＣＣＥ数および下り回線割当用制御チャネルとして使用されるＣＣＥ数はサブフレーム毎に可変となる。すなわち、上り回線の通信量が多い場合は上り回線割当用制御チャネルとして使用されるＣＣＥ数を多くし、下り回線の通信量が多い場合は下り回線割当用制御チャネルとして使用されるＣＣＥ数を多くする。
【０１２９】
つまり、図１４に示すＣＣＥ＃１〜ＣＣＥ＃８において、ＣＣＥ＃１は上り回線割当用制御チャネルとしての使用頻度が最も高く、ＣＣＥ＃８は下り回線割当用制御チャネルとしての使用頻度が最も高い。換言すると、ＣＣＥ＃８は上り回線割当用制御チャネルとしての使用頻度が最も低い。
【０１３０】
そこで、本例では、実施の形態１の共有例１−５と同様にして、下り回線リソースは、使用頻度が高いＣＣＥで構成される上り回線割当用制御チャネルに関連付けられたＡＣＫ／ＮＡＣＫチャネルと使用頻度が低いＣＣＥで構成される上り回線割当用制御チャネルに関連付けられたＡＣＫ／ＮＡＣＫチャネルとによって共有される。
【０１３１】
以下、具体的に説明する。ここでは、図１４に示すように、上り回線割当用制御チャネルにＣＣＥ＃１〜＃４が使用され、下り回線割当用制御チャネルにＣＣＥ＃５〜＃８が使用される。また、ＣＣＥ＃１〜＃４によって、図１４に示すように割当用制御チャネルＣＨ＃１〜ＣＨ＃３が構成される。ただし、基地局では、割当用制御チャネルとして、８個のＣＣＥ＃１〜＃８にそれぞれ対応する最大８個の割当用制御チャネルＣＨ＃１〜ＣＨ＃８の下り回線リソースを予め確保する。また、想定する上り回線データの最大送信回数を６回とする。また、ここでは、説明を簡単にするため、ＣＣＥ＃１で構成される上り回線割当用制御チャネルＣＨ＃１およびＣＣＥ＃２で構成される上り回線割当用制御チャネルＣＨ＃２についてのみ説明する。
【０１３２】
図１５に示すように、下り回線リソース１〜６（下り回線リソース７〜１２）は、割当用制御チャネルＣＨ＃１（ＣＨ＃２）の１回目送信から６回目送信に関連付けられたＡＣＫ／ＮＡＣＫチャネルＣＨ＃１，１〜ＣＨ＃１，６（ＡＣＫ／ＮＡＣＫチャネルＣＨ＃２，１〜ＣＨ＃２，６）と、割当用制御チャネルＣＨ＃８（ＣＨ＃７）の１回目送信から６回目送信に関連付けられたＡＣＫ／ＮＡＣＫチャネルＣＨ＃８，１〜ＣＨ＃８，６（ＡＣＫ／ＮＡＣＫチャネルＣＨ＃７，１〜ＣＨ＃７，６）とによって共有される。
【０１３３】
ここで、図１５に示す下り回線リソース１〜６（下り回線リソース７〜１２）の各下り回線リソースには、実施の形態１の共有例１−１と同様に、多い送信回数に関連付けられたＡＣＫ／ＮＡＣＫチャネルと少ない送信回数に関連付けられたＡＣＫ／ＮＡＣＫチャネルとによって共有される。
【０１３４】
図１４に示すように、上り回線割当用制御チャネルにＣＣＥ＃１〜＃４が使用され、下り回線割当用制御チャネルにＣＣＥ＃５〜＃８が使用されるため、上り回線割当用制御チャネルに関連付けられたＡＣＫ／ＮＡＣＫチャネルとして、ＡＣＫ／ＮＡＣＫチャネルＣＨ＃８，１〜ＣＨ＃８，６（ＡＣＫ／ＮＡＣＫチャネルＣＨ＃７，１〜ＣＨ＃７，６）が使用されることがない。
【０１３５】
よって、図１５に示す下り回線リソース１〜６（下り回線リソース７〜１２）では、ＡＣＫ／ＮＡＣＫチャネルＣＨ＃１，１〜ＣＨ＃１，６（ＡＣＫ／ＮＡＣＫチャネルＣＨ＃２，１〜ＣＨ＃２，６）のみが使用され、ＡＣＫ／ＮＡＣＫチャネルＣＨ＃８，１〜ＣＨ＃８，６（ＡＣＫ／ＮＡＣＫチャネルＣＨ＃７，１〜ＣＨ＃７，６）と衝突することが一切無くなる。
【０１３６】
このように、本例によれば、下り回線リソースは、使用頻度が高いＡＣＫ／ＮＡＣＫチャネルと使用頻度が低いＡＣＫ／ＮＡＣＫチャネルとで共有されるため、ＡＣＫ／ＮＡＣＫチャネルが衝突する確率を低くすることができる。よって、上り回線データ割当用制御チャネルと下り回線データ割当用制御チャネルとで複数のＣＣＥが共有して使用される場合でも、データ伝送効率を向上することができる。
【０１３７】
なお、本例では、実施の形態１の共有例１−１と同様に、多い送信回数に関連付けられたＡＣＫ／ＮＡＣＫチャネルと少ない送信回数に関連付けられたＡＣＫ／ＮＡＣＫチャネルとによって下り回線リソースを共有する場合について説明したが、実施の形態１の共有例１−３と同様にして下り回線リソースを共有してもよい。
【０１３８】
以上、共有例２−１〜２−２について説明した。
【０１３９】
このように、本実施の形態によれば、割当用制御チャネルが複数のＣＣＥで構成される場合でも、データ伝送効率を向上することができる。
【０１４０】
以上、本発明の各実施の形態について説明した。
【０１４１】
なお、上記各実施の形態では上り回線の応答信号を伝送する場合について説明したが、本発明を下り回線の応答信号に適用することもできる。例えば、移動局が上記基地局１００と同様の処理を行うことにより、本発明を下り回線の応答信号に適用することができる。ただし、下り回線リソースの割当は、基地局が行う。すなわち、移動局では、上記基地局１００における割当用制御チャネル割当部１０１と同様の処理を行わない。よって、移動局は下り回線データの割当要求用上り制御チャネルに関連付けられたＡＣＫ／ＮＡＣＫチャネルを用いて応答信号を送信する。あるいは、移動局は下り回線データの割当通知用
下り制御チャネルに関連付けられたＡＣＫ／ＮＡＣＫチャネルを用いて応答信号を送信する。
【０１４２】
また、上記各実施の形態では、下り回線リソースは、異なる割当用制御チャネルに関連付けられた複数のＡＣＫ／ＮＡＣＫチャネルによって共有される場合について説明したが、下り回線リソースは、同一の割当用制御チャネルにおいて異なる送信回数に関連付けられた複数のＡＣＫ／ＮＡＣＫチャネルによって共有されてもよい。例えば、図１６に示すように、下り回線リソース１〜３において、実施の形態１の共有例１−１と同様にして、下り回線リソース１は、割当用制御チャネルＣＨ＃１および１回目送信に関連付けられたＡＣＫ／ＮＡＣＫチャネルＣＨ＃１，１と割当用制御チャネルＣＨ＃１および６回目送信に関連付けられたＡＣＫ／ＮＡＣＫチャネルＣＨ＃１，６とによって共有され、下り回線リソース２は、割当用制御チャネルＣＨ＃１および２回目送信に関連付けられたＡＣＫ／ＮＡＣＫチャネルＣＨ＃１，２と割当用制御チャネルＣＨ＃１および５回目送信に関連付けられたＡＣＫ／ＮＡＣＫチャネルＣＨ＃１，５とによって共有され、下り回線リソース３は、割当用制御チャネルＣＨ＃１および３回目送信に関連付けられたＡＣＫ／ＮＡＣＫチャネルＣＨ＃１，３と割当用制御チャネルＣＨ＃１および４回目送信に関連付けられたＡＣＫ／ＮＡＣＫチャネルＣＨ＃１，４とによって共有されてもよい。
【０１４３】
また、図１７に示すように下り回線リソース１〜３において、実施の形態１の共有例１−３と同様にして、下り回線リソース１は、割当用制御チャネルＣＨ＃１および１回目送信に関連付けられたＡＣＫ／ＮＡＣＫチャネルＣＨ＃１，１と割当用制御チャネルＣＨ＃１および４回目送信に関連付けられたＡＣＫ／ＮＡＣＫチャネルＣＨ＃１，４とによって共有され、下り回線リソース２は、割当用制御チャネルＣＨ＃１および２回目送信に関連付けられたＡＣＫ／ＮＡＣＫチャネルＣＨ＃１，２と割当用制御チャネルＣＨ＃１および５回目送信に関連付けられたＡＣＫ／ＮＡＣＫチャネルＣＨ＃１，５とによって共有され、下り回線リソース３は、割当用制御チャネルＣＨ＃１および３回目送信に関連付けられたＡＣＫ／ＮＡＣＫチャネルＣＨ＃１，３と割当用制御チャネルＣＨ＃１および６回目送信に関連付けられたＡＣＫ／ＮＡＣＫチャネルＣＨ＃１，６とによって共有されてもよい。
【０１４４】
また、上記各実施の形態の説明で用いた割当用制御チャネルは、一般的にはＰＤＣＣＨ（Physical Downlink Control Channel）、ＳＣＣＨ（Shared Control Channel）、L1/L2
Control Channel、UL grantチャネル、およびＣＣＣＨ（Common Control Channel）と称されることもある。また、ＡＣＫ／ＮＡＣＫチャネルは、ＨＩＣＨ（Hybrid ARQ Indicator Channel）と称されることもある。
【０１４５】
また、上記各実施の形態では、全ての下り回線リソースについて複数のＡＣＫ／ＮＡＣＫチャネルによって共有する場合について説明したが、本発明は一部の下り回線リソースに対して適用してもよい。
【０１４６】
また、本発明は、上記各実施の形態で説明した下り回線リソース共有例を組み合わせて下り回線リソースを共有してもよい。
【０１４７】
また、上記各実施の形態では、２個のＡＣＫ／ＮＡＣＫチャネルを１つの下り回線リソースで共有する場合について説明したが、２個のＡＣＫ／ＮＡＣＫチャネルに限らず、３個以上のＡＣＫ／ＮＡＣＫチャネルを１つの下り回線リソースで共有してもよい。
【０１４８】
また、移動局はUE、基地局はNode Bと称されることもある。
【０１４９】
また、誤り検出の方法はＣＲＣ判定に限られない。
【０１５０】
また、上記実施の形態では、本発明をハードウェアで構成する場合を例にとって説明したが、本発明はソフトウェアで実現することも可能である。
【０１５１】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１５２】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１５３】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１５４】
２００７年５月１日出願の特願２００７−１２０８４８の日本出願に含まれる明細書、図面および要約書の開示内容は、すべて本願に援用される。
【産業上の利用可能性】
【０１５５】
本発明は、移動体通信システム等に適用することができる。
【図面の簡単な説明】
【０１５６】
【図１】本発明の実施の形態１に係る基地局の構成を示すブロック図
【図２】本発明の実施の形態１に係るＡＲＱのシーケンス図
【図３】本発明の実施の形態１に係る下り回線リソースを示す図（例１−１）
【図４】本発明の実施の形態１に係るＡＲＱのシーケンス図（例１−２）
【図５】本発明の実施の形態１に係る下り回線リソースを示す図（例１−３）
【図６】本発明の実施の形態１に係るＭＣＳテーブルを示す図（例１−４）
【図７】本発明の実施の形態１に係る下り回線リソースを示す図（例１−４）
【図８】本発明の実施の形態１に係る下り回線リソースを示す図（例１−５）
【図９】本発明の実施の形態１に係る下り回線リソースを示す図（例１−６−１）
【図１０】本発明の実施の形態１に係る下り回線リソースを示す図（例１−６−２）
【図１１】本発明の実施の形態１に係る物理リソースを示す図
【図１２】本発明の実施の形態２に係るＣＣＥを示す図（例２−１）
【図１３】本発明の実施の形態２に係る下り回線リソースを示す図（例２−１）
【図１４】本発明の実施の形態２に係るＣＣＥを示す図（例２−２）
【図１５】本発明の実施の形態２に係る下り回線リソースを示す図（例２−２）
【図１６】下り回線リソースを示す図（例１）
【図１７】下り回線リソースを示す図（例２）
【手続補正３】
【補正対象書類名】図面
【補正対象項目名】全図
【補正方法】変更
【補正の内容】
【図１】
2008136194.tif 000020
【図２】
2008136194.tif 000021
【図３】
2008136194.tif 000022
【図４】
2008136194.tif 000023
【図５】
2008136194.tif 000024
【図６】
2008136194.tif 000025
【図７】
2008136194.tif 000026
【図８】
2008136194.tif 000027
【図９】
2008136194.tif 000028
【図１０】
2008136194.tif 000029
【図１１】
2008136194.tif 000030
【図１２】
2008136194.tif 000031
【図１３】
2008136194.tif 000032
【図１４】
2008136194.tif 000033
【図１５】
2008136194.tif 000034
【図１６】
2008136194.tif 000035
【図１７】
2008136194.tif 000036
【国際調査報告】
2008136194.tif 000037
2008136194.tif 000038